(57)【要約】  自己組織化ネットワーク調整手順を含むマルチレベル自己組織化ネットワーク調整を実現するための手段が提供される。そのような手段は、規範的に、低い管理レベルにおける少なくとも１つの自己組織化ネットワーク機能のアクションを、そのアクションが実際に遂行される前又はそのアクションが実際に遂行された後に、自己組織化ネットワークの低い管理レベルから、自己組織化ネットワークの高い管理レベルへ通知する自己組織化ネットワーク調整のための通知を通信し、そしてその通知されたアクションを高い管理レベルにおける自己組織化ネットワーク調整に関して調整することを含む。【選択図】      図２
2015505652.tif 000002
【特許請求の範囲】
【請求項１】
低い管理レベルでの少なくとも１つの自己組織化ネットワーク機能のアクションを通知する自己組織化ネットワーク調整のための通知を、自己組織化ネットワークの低い管理レベルから自己組織化ネットワークの高い管理レベルへ発行することを含む方法。
【請求項２】
前記通知は、自己組織化ネットワーク調整独自の要求を含み、前記通知されるアクションは、低い管理レベルにおいて少なくとも１つの自己組織化ネットワーク機能により遂行されることが意図された意図アクションであり、それに対して高い管理レベルから自己組織化ネットワーク調整の決定が要求され、これは、少なくとも１つの自己組織化ネットワーク機能の調整関連プロフィール情報を含む、請求項１に記載の方法。
【請求項３】
前記意図されたアクションに対する自己組織化ネットワーク調整の決定を含む自己組織化ネットワーク調整の動作を高い管理レベルから受け取り、及び
前記意図されたアクションに対する自己組織化ネットワーク調整の決定に基づいて低い管理レベルにおいて少なくとも１つの自己組織化ネットワーク機能を動作させる、
ことを更に含む請求項２に記載の方法。
【請求項４】
前記動作は、
自己組織化ネットワーク調整の決定が前記意図されたアクションの確認に対応するときは低い管理レベルにおける少なくとも１つの自己組織化ネットワーク機能により前記意図されたアクションを遂行し及び／又は遂行を調整し、
自己組織化ネットワーク調整の決定が前記意図されたアクションの拒絶に対応するときは低い管理レベルにおける少なくとも１つの自己組織化ネットワーク機能により前記意図されたアクションを禁止し及び／又は禁止を調整し、及び
自己組織化ネットワーク調整の決定が前記意図されたアクションとは別の少なくとも１つのアクション対応するときには低い管理レベルにおける少なくとも１つの自己組織化ネットワーク機能により少なくとも１つの別のアクションを遂行し及び／又は遂行を調整する、
ことの１つを含む請求項３に記載の方法。
【請求項５】
前記通知は、自己組織化ネットワーク調整独自の情報を含み、前記通知されるアクションは、低い管理レベルにおいて少なくとも１つの自己組織化ネットワーク機能により遂行された遂行済みアクションであり、高い管理レベルにはそれに基づく自己組織化ネットワーク調整のためにそれに関して通知される、請求項１に記載の方法。
【請求項６】
前記遂行済みアクションに対する自己組織化ネットワーク調整の決定を含む自己組織化ネットワーク調整のための動作を高い管理レベルから受け取り、及び
前記遂行済みアクションに対する自己組織化ネットワーク調整の決定に基づいて低い管理レベルにおいて少なくとも１つの自己組織化ネットワーク機能を動作する、
ことを更に含む請求項５に記載の方法。
【請求項７】
前記動作は、
自己組織化ネットワーク調整の決定が前記遂行済みアクションとは別の少なくとも１つのアクションに対応するときは低い管理レベルにおける少なくとも１つの自己組織化ネットワーク機能により少なくとも１つの別のアクションを遂行し及び／又は遂行を調整すること、及び
自己組織化ネットワーク調整の決定が前記遂行済みアクションのアンドゥイングに対応するときは低い管理レベルにおける少なくとも１つの自己組織化ネットワーク機能により前記遂行済みアクションをアンドゥし及び／又はアンドゥを調整すること、
の１つを含む、請求項６に記載の方法。
【請求項８】
少なくとも１つの自己組織化ネットワーク機能のアクションに対する自己組織化ネットワーク調整の決定が高い管理レベルから要求される自己組織化ネットワーク調整要求振舞いと、少なくとも１つの自己組織化ネットワーク機能に関して高い管理レベルに通知がなされる自己組織化ネットワーク調整情報振舞いとの間で、少なくとも１つの自己組織化ネットワークコントロール属性に従う機能ベース及びセルベースの少なくとも一方、及び／又はデフォールト調整振舞いのベースで、自己組織化ネットワーク調整振舞いを選択することを更に含む、請求項１から７のいずれかに記載の方法。
【請求項９】
前記低い管理レベルは、エレメント又はドメインマネージャーレベルであり、且つ前記高い管理レベルは、ネットワークマネージャーレベルであり、又は
前記低い管理レベルは、ネットワークエレメントレベルであり、且つ前記高い管理レベルは、エレメント又はドメインマネージャーレベルであり、又は
前記低い管理レベルは、ネットワークエレメントレベルであり、且つ前記高い管理レベルは、ネットワークマネージャーレベルである、
請求項１から８のいずれか１項に記載の方法。
【請求項１０】
前記方法は、自己組織化ネットワークにおいて動作可能であり、及び／又は
前記方法は、ネットワークエレメントエンティティ及び／又はエレメントマネージャーエンティティにおいて又はそれにより動作可能であり、及び／又は
前記方法は、低い管理レベルでは、少なくとも１つの自己組織化ネットワーク機能及び／又は自己組織化ネットワーク調整機能において又はそれにより動作可能であり、及び／又は
前記低い管理レベル及び高い管理レベルは、動作サポートシステムの各レベル、及び／又は通信システムの各動作及び保守レベルに対応し、及び／又は
前記低い管理レベル及び高い管理レベルは、Ｉｔｆ−Ｎインターフェイス及びＩｔｆ−Ｓインターフェイスの少なくとも１つを経てリンクされる、
請求項１から９のいずれか１項に記載の方法。
【請求項１１】
低い管理レベルでの少なくとも１つの自己組織化ネットワーク機能のアクションを通知する自己組織化ネットワーク調整のための通知を、自己組織化ネットワークの低い管理レベルから自己組織化ネットワークの高い管理レベルで受け取り、及び
前記通知されたアクションをその高い管理レベルにおいて自己組織化ネットワーク調整に関して調整する、
ことを含む方法。
【請求項１２】
前記調整は、
前記受け取られた通知から導出可能な、低い管理レベルからの調整関連情報を収集し、及び／又は
前記受け取られた通知から導出可能な、低い管理レベルからの調整関連情報を、高い管理レベルからの調整関連情報と結合する、
ことを含む、請求項１１に記載の方法。
【請求項１３】
前記通知は、自己組織化ネットワーク調整独自の要求を含み、前記通知されるアクションは、低い管理レベルにおいて少なくとも１つの自己組織化ネットワーク機能により遂行されることが意図された意図アクションであり、それに対して高い管理レベルから自己組織化ネットワーク調整の決定が要求され、これは、少なくとも１つの自己組織化ネットワーク機能の調整関連プロフィール情報を含む、請求項１１又は１２に記載の方法。
【請求項１４】
低い管理レベルにおける少なくとも１つの自己組織化ネットワーク機能の調整関連プロフィール情報に従って前記意図されたアクションに対する自己組織化ネットワーク調整の決定を行い、及び
前記意図されたアクションに対する自己組織化ネットワーク調整の決定を含む自己組織化ネットワーク調整のための動作を低い管理レベルへ発行する、
ことを更に含み、前記自己組織化ネットワーク調整の決定は、前記意図されたアクションの確認、前記意図されたアクションの拒絶、前記意図されたアクションとは別の少なくとも１つのアクション、のうちの１つに対応する、請求項１３に記載の方法。
【請求項１５】
前記通知は、自己組織化ネットワーク調整独自の情報を含み、前記通知されるアクションは、低い管理レベルにおいて少なくとも１つの自己組織化ネットワーク機能により遂行された遂行済みアクションであり、高い管理レベルにはそれに基づく自己組織化ネットワーク調整のためにそれに関して通知される、請求項１１又は１２に記載の方法。
【請求項１６】
低い管理レベルにおける前記遂行済みアクションに対する自己組織化ネットワーク調整の決定を行い、及び
前記遂行済みアクションに対する自己組織化ネットワーク調整の決定を含む自己組織化ネットワーク調整のための動作を低い管理レベルへ発行する、
ことを更に含み、前記自己組織化ネットワーク調整の決定は、前記遂行済みアクションとは別の少なくとも１つのアクション、及び前記遂行済みアクションのアンドゥイング、のうちの１つに対応する、請求項１５に記載の方法。
【請求項１７】
前記低い管理レベルは、エレメント又はドメインマネージャーレベルであり、且つ前記高い管理レベルは、ネットワークマネージャーレベルであり、又は
前記低い管理レベルは、ネットワークエレメントレベルであり、且つ前記高い管理レベルは、エレメント又はドメインマネージャーレベルであり、又は
前記低い管理レベルは、ネットワークエレメントレベルであり、且つ前記高い管理レベルは、ネットワークマネージャーレベルである、
請求項１１から１６のいずれか１項に記載の方法。
【請求項１８】
前記方法は、自己組織化ネットワークにおいて動作可能であり、及び／又は
前記方法は、ネットワークマネージャーエンティティにおいて又はそれにより動作可能であり、及び／又は
前記方法は、低い管理レベルでは、自己組織化ネットワーク調整機能において又はそれにより動作可能であり、及び／又は
前記低い管理レベル及び高い管理レベルは、動作サポートシステムの各レベル、及び／又は通信システムの各動作及び保守レベルに対応し、及び／又は
前記低い管理レベル及び高い管理レベルは、Ｉｔｆ−Ｎインターフェイス及びＩｔｆ−Ｓインターフェイスの少なくとも１つを経てリンクされる、
請求項１１から１７のいずれか１項に記載の方法。
【請求項１９】
少なくとも別の装置と通信するように構成されたインターフェイスと、
コンピュータプログラムコードを記憶するように構成されたメモリと、
プロセッサと、
を備えた装置において、前記プロセッサは、前記装置に、
低い管理レベルでの少なくとも１つの自己組織化ネットワーク機能のアクションを通知する自己組織化ネットワーク調整のための通知を、自己組織化ネットワークの低い管理レベルから自己組織化ネットワークの高い管理レベルへ発行する、
ことを遂行させるよう構成された、装置。
【請求項２０】
前記通知は、自己組織化ネットワーク調整独自の要求を含み、前記通知されるアクションは、低い管理レベルにおいて少なくとも１つの自己組織化ネットワーク機能により遂行されることが意図された意図アクションであり、それに対して高い管理レベルから自己組織化ネットワーク調整の決定が要求され、これは、少なくとも１つの自己組織化ネットワーク機能の調整関連プロフィール情報を含む、請求項１９に記載の装置。
【請求項２１】
前記意図されたアクションに対する自己組織化ネットワーク調整の決定を含む自己組織化ネットワーク調整の動作を高い管理レベルから受け取り、及び
前記意図されたアクションに対する自己組織化ネットワーク調整の決定に基づいて低い管理レベルにおいて少なくとも１つの自己組織化ネットワーク機能を動作させる、
ことを遂行するように構成された請求項２０に記載の装置。
【請求項２２】
自己組織化ネットワーク調整の決定が前記意図されたアクションの確認に対応するときは低い管理レベルにおける少なくとも１つの自己組織化ネットワーク機能により前記意図されたアクションを遂行し及び／又は遂行を調整し、
自己組織化ネットワーク調整の決定が前記意図されたアクションの拒絶に対応するときは低い管理レベルにおける少なくとも１つの自己組織化ネットワーク機能により前記意図されたアクションを禁止し及び／又は禁止を調整し、及び
自己組織化ネットワーク調整の決定が前記意図されたアクションとは別の少なくとも１つのアクション対応するときには低い管理レベルにおける少なくとも１つの自己組織化ネットワーク機能により少なくとも１つの別のアクションを遂行し及び／又は遂行を調整する、
の１つによって動作を遂行するように構成された請求項２１に記載の装置。
【請求項２３】
前記通知は、自己組織化ネットワーク調整独自の情報を含み、前記通知されるアクションは、低い管理レベルにおいて少なくとも１つの自己組織化ネットワーク機能により遂行された遂行済みアクションであり、高い管理レベルにはそれに基づく自己組織化ネットワーク調整のためにそれに関して通知される、請求項１９に記載の装置。
【請求項２４】
前記遂行済みアクションに対する自己組織化ネットワーク調整の決定を含む自己組織化ネットワーク調整のための動作を高い管理レベルから受け取り、及び
前記遂行済みアクションに対する自己組織化ネットワーク調整の決定に基づき低い管理レベルにおいて少なくとも１つの自己組織化ネットワーク機能を動作する、
ことを遂行するように構成された請求項２３に記載の装置。
【請求項２５】
自己組織化ネットワーク調整の決定が前記遂行済みアクションとは別の少なくとも１つのアクションに対応するときは低い管理レベルにおける少なくとも１つの自己組織化ネットワーク機能により少なくとも１つの別のアクションを遂行し及び／又は遂行を調整し、及び
自己組織化ネットワーク調整の決定が前記遂行済みアクションのアンドゥイングに対応するときは低い管理レベルにおける少なくとも１つの自己組織化ネットワーク機能により前記遂行済みアクションをアンドゥし及び／又はアンドゥを調整する、
の１つにより動作を遂行するように構成された、請求項２４に記載の装置。
【請求項２６】
少なくとも１つの自己組織化ネットワーク機能のアクションに対する自己組織化ネットワーク調整の決定が高い管理レベルから要求される自己組織化ネットワーク調整要求振舞いと、少なくとも１つの自己組織化ネットワーク機能に関して高い管理レベルに通知がなされる自己組織化ネットワーク調整情報振舞いとの間で、少なくとも１つの自己組織化ネットワークコントロール属性に従う機能ベース及びセルベースの少なくとも一方、及び／又はデフォールト調整振舞いのベースで、自己組織化ネットワーク調整振舞いを選択することを遂行するように構成された、請求項１９から２５のいずれか１項に記載の装置。
【請求項２７】
前記低い管理レベルは、エレメント又はドメインマネージャーレベルであり、且つ前記高い管理レベルは、ネットワークマネージャーレベルであり、又は
前記低い管理レベルは、ネットワークエレメントレベルであり、且つ前記高い管理レベルは、エレメント又はドメインマネージャーレベルであり、又は
前記低い管理レベルは、ネットワークエレメントレベルであり、且つ前記高い管理レベルは、ネットワークマネージャーレベルである、
請求項１９から２６のいずれか１項に記載の装置。
【請求項２８】
前記装置は、自己組織化ネットワークにおいて動作可能であり、及び／又は
前記装置は、ネットワークエレメントエンティティ及び／又はエレメントマネージャーエンティティとして又はそれにおいて動作可能であり、及び／又は
前記装置は、低い管理レベルでは、少なくとも１つの自己組織化ネットワーク機能及び／又は自己組織化ネットワーク調整機能として又はそれにおいて動作可能であり、及び／又は
前記低い管理レベル及び高い管理レベルは、動作サポートシステムの各レベル、及び／又は通信システムの各動作及び保守レベルに対応し、及び／又は
前記低い管理レベル及び高い管理レベルは、Ｉｔｆ−Ｎインターフェイス及びＩｔｆ−Ｓインターフェイスの少なくとも１つを経てリンクされる、
請求項１９から２７のいずれか１項に記載の装置。
【請求項２９】
少なくとも別の装置と通信するように構成されたインターフェイスと、
コンピュータプログラムコードを記憶するように構成されたメモリと、
プロセッサと、
を備えた装置において、前記プロセッサは、前記装置に、
自己組織化ネットワークの低い管理レベルでの少なくとも１つの自己組織化ネットワーク機能のアクションを通知する自己組織化ネットワーク調整の通知を、その低い管理レベルから自己組織化ネットワークの高い管理レベルで受け取り、及び
前記通知されたアクションをその高い管理レベルにおいて自己組織化ネットワーク調整に関して調整する、
ことを遂行させるよう構成された、装置。
【請求項３０】
前記受け取られた通知から導出可能な、低い管理レベルからの調整関連情報を収集し、及び／又は
前記受け取られた通知から導出可能な、低い管理レベルからの調整関連情報を、高い管理レベルからの調整関連情報と結合する、
ことを遂行するように構成された、請求項２９に記載の装置。
【請求項３１】
前記通知は、自己組織化ネットワーク調整独自の要求を含み、前記通知されるアクションは、低い管理レベルにおいて少なくとも１つの自己組織化ネットワーク機能により遂行されることが意図された意図アクションであり、それに対して高い管理レベルから自己組織化ネットワーク調整の決定が要求され、これは、少なくとも１つの自己組織化ネットワーク機能の調整関連プロフィール情報を含む、請求項２９又は３０に記載の装置。
【請求項３２】
低い管理レベルにおける少なくとも１つの自己組織化ネットワーク機能の調整関連プロフィール情報に従って前記意図されたアクションに対する自己組織化ネットワーク調整の決定を行い、及び
前記意図されたアクションに対する自己組織化ネットワーク調整の決定を含む自己組織化ネットワーク調整のための動作を低い管理レベルへ発行する、
ことを更に含み、前記自己組織化ネットワーク調整の決定は、前記意図されたアクションの確認、前記意図されたアクションの拒絶、前記意図されたアクションとは別の少なくとも１つのアクション、のうちの１つに対応する、請求項３１に記載の装置。
【請求項３３】
前記通知は、自己組織化ネットワーク調整独自の情報を含み、前記通知されるアクションは、低い管理レベルにおいて少なくとも１つの自己組織化ネットワーク機能により遂行された遂行済みアクションであり、高い管理レベルにはそれに基づく自己組織化ネットワーク調整のためにそれに関して通知される、請求項２９又は３０に記載の装置。
【請求項３４】
低い管理レベルにおける前記遂行済みアクションに対する自己組織化ネットワーク調整の決定を行い、及び
前記遂行済みアクションに対する自己組織化ネットワーク調整の決定を含む自己組織化ネットワーク調整のための動作を低い管理レベルへ発行する、
ことを更に含み、前記自己組織化ネットワーク調整の決定は、前記遂行済みアクションとは別の少なくとも１つのアクション、及び前記遂行済みアクションのアンドゥイング、のうちの１つに対応する、請求項３３に記載の装置。
【請求項３５】
前記低い管理レベルは、エレメント又はドメインマネージャーレベルであり、且つ前記高い管理レベルは、ネットワークマネージャーレベルであり、又は
前記低い管理レベルは、ネットワークエレメントレベルであり、且つ前記高い管理レベルは、エレメント又はドメインマネージャーレベルであり、又は
前記低い管理レベルは、ネットワークエレメントレベルであり、且つ前記高い管理レベルは、ネットワークマネージャーレベルである、
請求項２９から３５のいずれか１項に記載の装置。
【請求項３６】
前記装置は、自己組織化ネットワークにおいて動作可能であり、及び／又は
前記装置は、ネットワークマネージャーエンティティとして又はそれにおいて動作可能であり、及び／又は
前記装置は、高い管理レベルでは、自己組織化ネットワーク調整機能として又はそれにおいて動作可能であり、及び／又は
前記低い管理レベル及び高い管理レベルは、動作サポートシステムの各レベル、及び／又は通信システムの各動作及び保守レベルに対応し、及び／又は
前記低い管理レベル及び高い管理レベルは、Ｉｔｆ−Ｎインターフェイス及びＩｔｆ−Ｓインターフェイスの少なくとも１つを経てリンクされる、
請求項２９から３５のいずれか１項に記載の装置。
【請求項３７】
プログラムがコンピュータで実行されるときに、請求項１から１０又は請求項１１から１８のいずれか１項に記載の方法をコンピュータに実行させるように構成されたコンピュータ実行可能なコンピュータプログラムコードを含むコンピュータプログラム製品。
【請求項３８】
前記コンピュータプログラム製品は、コンピュータ実行可能なコンピュータプログラムコードが記憶されたコンピュータ読み取り可能な媒体を含む、及び／又は前記プログラムは、プロセッサの内部メモリに直接ロード可能である、請求項３７に記載のコンピュータプログラム製品。
【発明の詳細な説明】
【技術分野】
【０００１】
本発明は、マルチレベル自己組織化ネットワーク調整に関する。より詳細には、本発明は、例えば、マルチレベル自己組織化ネットワーク調整を実現するための手段（方法、装置及びコンピュータプログラム製品）に関する。
【０００２】
本発明は、基本的に、自己組織化ネットワーク（ＳＯＮ）、特に、自己組織化ネットワーク（ＳＯＮ）調整に関する。
【背景技術】
【０００３】
そのようなＳＯＮ調整は、動作及び管理されるべき複数のドメインへと典型的に組織化されるマルチベンダー／リリースネットワークに特に適用される。同じベンダー／リリースのネットワーク要素は、通常、ネットワークオペレータによって効率的に動作及び管理できるように同じドメイン（１つ又は複数）へグループ分けされる。複数の無線アクセス技術（ＲＡＴ）及びそれらＲＡＴ内の複数のセルレイヤより成る異種ネットワークにも同じ原理が適用され、同じＲＡＴ／レイヤのネットワークエレメントを同じドメイン（１つ又は複数）へグループ分けして、そのようなＳＯＮ調整も適用できるようにする。
【０００４】
例えばマルチベンダー／リリースネットワーク及び異種ネットワークに適用できる前記組織化原理により、ネットワークのＳＯＮ機能は、異なるドメインだけではなく、ＯＳＳ／ＯＡＭハイアラーキーの異なるレベルにも配置される。即ち、ＳＯＮ機能の幾つかは、ネットワークエレメント（ＮＥ）に位置し、又、その幾つかは、ドメインマネージャー（ＤＭ）又はエレメントマネージャー（ＥＭ）に位置するが、他のものは、ネットワークマネージャー（ＮＭ）に位置する。
【０００５】
ＳＯＮ機能のそのようなマルチレベル及びマルチドメイン分散は、それらのＳＯＮ機能間の適切且つ有効なＳＯＮ調整を実現するという課題を課す。この点に関して、各ＳＯＮ機能間でレベル交差及びドメイン交差相互依存性（依存性又は対立のような）を考慮する上でＳＯＮ調整を可能にすることが要求される。
【０００６】
そのような適切且つ有効なＳＯＮ調整の必要性は、ドメイン間のＳＯＮ調整能力、即ちあるドメインのＮＥ／ＥＭ／ＤＭレベル機能及び別のドメインの別のＮＥ／ＥＭ／ＤＭレベル機能の調整と、管理レベル間のＳＯＮ調整能力、即ちＮＥ／ＥＭ／ＤＭレベル機能及びＮＭレベル機能の調整とに関する。
【０００７】
特に、現在の通信システムでは、少なくとも、レベル交差ＳＯＮ調整能力を入手することができない。
【発明の概要】
【発明が解決しようとする課題】
【０００８】
それ故、異なる管理レベル及びドメインにわたる適切且つ有効なＳＯＮ調整を促進するマルチレベルの自己組織化ネットワーク調整を実現できることが要望される。
【課題を解決するための手段】
【０００９】
本発明の種々の規範的な実施形態は、前記論点及び／又は問題並びに欠点の少なくとも一部分に対処することを目的とする。
【００１０】
本発明の規範的実施形態の種々の態様は、特許請求の範囲に規定される。
【００１１】
本発明の規範的な態様によれば、低い管理レベルでの少なくとも１つの自己組織化ネットワーク機能のアクションを通知する自己組織化ネットワーク調整の通知を、自己組織化ネットワークの低い管理レベルから自己組織化ネットワークの高い管理レベルへ発行することを含む方法が提供される。
【００１２】
本発明の規範的な態様によれば、低い管理レベルでの少なくとも１つの自己組織化ネットワーク機能のアクションを通知する自己組織化ネットワーク調整の通知を、自己組織化ネットワークの低い管理レベルから自己組織化ネットワークの高い管理レベルで受け取り、そしてその通知されたアクションをその高い管理レベルにおいて自己組織化ネットワーク調整に関して調整することを含む方法が提供される。
【００１３】
本発明の規範的な態様によれば、少なくとも別の装置と通信するように構成されたインターフェイスと、コンピュータプログラムコードを記憶するように構成されたメモリと、低い管理レベルでの少なくとも１つの自己組織化ネットワーク機能のアクションを通知する自己組織化ネットワーク調整の通知を、自己組織化ネットワークの低い管理レベルから自己組織化ネットワークの高い管理レベルへ発行することを装置に行われるように構成されたプロセッサと、を備えた装置が提供される。
【００１４】
本発明の規範的な態様によれば、少なくとも別の装置と通信するように構成されたインターフェイスと、コンピュータプログラムコードを記憶するように構成されたメモリと、自己組織化ネットワークの低い管理レベルでの少なくとも１つの自己組織化ネットワーク機能のアクションを通知する自己組織化ネットワーク調整の通知を、その低い管理レベルから自己組織化ネットワークの高い管理レベルで受け取り、そしてその通知されたアクションをその高い管理レベルにおいて自己組織化ネットワーク調整に関して調整することを装置に行われるように構成されたプロセッサと、を備えた装置が提供される。
【００１５】
本発明の規範的な態様によれば、コンピュータ（例えば、本発明の上述した装置関連の規範的な態様の１つに基づく装置）のコンピュータ）でプログラムが実行されるときに、本発明の上述した方法関連の規範的な態様の１つに基づく方法をコンピュータに実行させるように構成されたコンピュータ実行可能なコンピュータプログラムコードを備えたコンピュータプログラム製品が提供される。
【００１６】
そのようなコンピュータプログラム製品は、コンピュータ実行可能なコンピュータプログラムコードが記憶される（有形の）コンピュータ読み取り可能な（ストレージ）媒体等を備え、又はそのような媒体等として実施され、及び／又はそのプログラムは、コンピュータの内部メモリ又はそのプロセッサに直接ロードすることができる。
【００１７】
本発明の以上に述べた規範的な態様の効果的な更に別の開発又は変更については、以下に述べる。
【００１８】
本発明の規範的な実施形態によれば、マルチレベル自己組織化ネットワーク調整が提供される。より詳細には、本発明の規範的な実施形態により、（セルラー通信システムにおいて）マルチレベル自己組織化ネットワーク調整を実現するための手段及びメカニズムが提供される。
【００１９】
従って、（セルラー通信システムにおいて）マルチレベル自己組織化ネットワーク調整の実現を可能にし／促進する方法、装置及びコンピュータプログラム製品によって改良が達成される。
【００２０】
以下、添付図面を参照して、本発明を非限定例として詳細に説明する。
【図面の簡単な説明】
【００２１】
【図１】本発明の規範的な実施形態を適用できる自己組織化ネットワークアーキテクチャーの概略図である。
【図２】本発明の規範的な実施形態による規範的手順の概略図である。
【図３】本発明の規範的な実施形態による手順の規範的変形例の概略図である。
【図４】本発明の規範的な実施形態によるマルチレベル自己組織化ネットワーク調整の規範的構造を示す概略図である。
【図５】本発明の規範的な実施形態による規範的装置の概略図である。
【発明を実施するための形態】
【００２２】
本発明は、特定の非限定例、及び本発明の想像可能な実施形態と現在考えるものを参照して以下に述べる。当業者であれば、本発明は、これらの例に限定されず、且つより広く適用できることが明らかであろう。
【００２３】
本発明及びその実施形態の以下の説明は、ある規範的ネットワーク構成及び配備について非限定例として使用される仕様を主として参照することに注意されたい。即ち、本発明及びその実施形態は、ある規範的ネットワーク構成及び配備について非限定例として使用される３ＧＰＰ仕様に関連して主として説明される。より詳細には、ここに述べる規範的な実施形態を適用するための非限定例としてＬＴＥ／ＬＴＥアドバンスト通信システムが使用される。従って、ここに述べる規範的実施形態の説明は、特に、それに直接関連した用語を参照する。そのような用語は、ここに提示する非限定例に関して使用されるだけであり、当然、本発明を何ら限定するものではない。むしろ、他のネットワーク構成、又はシステムの配備、等も、ここに述べる特徴に適合する限り使用される。
【００２４】
特に、本発明及びその実施形態は、異なる管理レベル及びドメインにわたり適切で且つ有効なＳＯＮ調整を促進する自己組織化ネットワーク（ＳＯＮ）調整を適用できる（例えば、その基礎となる組織化原理のために）（セルラー）通信システム及び／又はネットワーク配備に適用される。
【００２５】
本発明の種々の実施形態及び実施例並びにその態様又は実施形態は、以下、多数の変形例及び／又は代替例を使用して説明する。ある必要性及び制約によれば、ここに述べる全ての変形例及び／又は代替例は、単独で提供されてもよいし又は想像可能な組み合わせで提供されてもよい（種々の変形例及び／又は代替例の個々の特徴の組み合わせも含めて）ことに一般的に注意されたい。
【００２６】
本発明の規範的な実施形態によれば、一般的に、（セルラー通信システムにおいて）マルチレベル自己組織化ネットワーク（ＳＯＮ）調整（を可能にする／実現する）のための手段及びメカニズムが提供される。
【００２７】
図１は、本発明の規範的な実施形態を適用できる自己組織化ネットワークアーキテクチャーの概略図である。図１において、破線は、（ＳＯＮ）ネットワークの管理レベルとも称される論理的（ＳＯＮ）ネットワークレベルを示す。
【００２８】
図１に示すように、ベースステーション又はアクセスノードのような２つのネットワークエレメント（ＮＥ）が、Ｉｔｆ−Ｓインターフェイスを経ての場合に、エレメントマネージャー（ＥＭ）及び／又はドメインマネージャー（ＤＭ）に接続されると規範的に仮定する。例えば、エレメントマネージャーは、特に、（ドメイン内の）単一ネットワークエレメントを支配するように構成され、そしてドメインマネージャーは、特に、（ドメイン内の）多数の（例えば、全ての）ネットワークエレメントを支配するように構成される。ＥＭ／ＤＭ及びその２つの接続されたＮＥは、ＳＯＮ管理ドメインを表わす（又はそれに属する）と規範的に仮定する。ＥＭ／ＤＭ（並びにＮＥ接続のみが示された別の規範的に仮定するＥＭ／ＤＭ）は、Ｉｔｆ−Ｎインターフェイスを経ての場合に、ネットワークマネージャー（ＮＭ）に接続される。そのようなレベル交差接続により、マルチレベルＳＯＮ調整が可能となる。
【００２９】
又、図１に示すように、ネットワークエレメント（ＮＥ）は、Ｉｔｆ−Ｓインターフェイスを経ての場合に、ネットワークマネージャー（ＮＭ）に直結されるとも規範的に仮定する。
【００３０】
そのようなＳＯＮアーキテクチャーにおいて、図１には示されていないが、ＮＥは、互いに接続され、及び／又はＥＭ／ＤＭも、互いに接続される。そのようなレベル内接続により、単一レベル（ドメイン内又はマルチドメイン）ＳＯＮ調整も実現可能である。
【００３１】
ここでは、ＮＥは、ネットワークエレメント（ＮＥ）レベルを表わし、ＥＭ／ＤＭは、エレメントマネージャー（ＥＭ）又はドメインマネージャー（ＤＭ）レベルを表わし、そしてＮＭは、ネットワークマネージャー（ＮＭ）レベルを表わすものと仮定する。
【００３２】
本発明の規範的実施形態では、ＳＯＮ機能がＮＥレベルに位置されるか又はＥＭ／ＤＭレベルに位置されるか透過的であると仮定する。そのような仮定は、ＮＥレベル機能のアクティビティをＥＭ／ＤＭレベルに露出すべきであるとのＳＯＮ調整の前提条件に基づくものである。
【００３３】
以下に述べる本発明の規範的な実施形態によれば、低い管理レベル及び高い管理レベルが主として参照される。図１を参照すれば、低い管理レベルがＥＭ又はＤＭレベルである一方、高い管理レベルがＮＭレベルであるか、或いは低い管理レベルがＮＥレベルである一方、高い管理レベルがＥＭ又はＤＭレベルであるか、或いは低い管理レベルがＮＥレベルである一方、高い管理レベルがＮＭレベルである。
【００３４】
即ち、本発明の規範的な実施形態は、Ｉｔｆ−Ｓインターフェイス及び／又はＩｔｆ−Ｎインターフェイスに適用することができる。これらインターフェイスの一方又は両方の適用性は、（ベンダー／オペレータ独自の）定義、構成又は具現化に依存する。例えば、ＥＭは、ＮＥに一体化されてもよく、この場合に、ＮＥとＮＭとの間のＩｔｆ−Ｎインターフェイスは、ＮＥ−ＮＭ調整に適用可能である。
【００３５】
図２は、本発明の規範的な実施形態による規範的手順の概略図である。
【００３６】
図２の規範的手順は、低い管理レベル（ＬＭＬ）、特に、そのＬＭＬエンティティと、高い管理レベル（ＨＭＬ）、特に、そのＨＭＬエンティティの間で行われると仮定する。低い及び高い管理レベルと、ＳＯＮアーキテクチャーにおけるネットワークエンティティ又はレベルとの間の潜在的なマッピングについては、図１に関する前記説明を参照されたい。
【００３７】
図２に示すように、本発明の規範的な実施形態による手順は、次の動作／機能を含む。
【００３８】
ＬＭＬエンティティは、ＬＭＬにおける少なくとも１つのＳＯＮ機能のアクションをＨＭＬに通知する自己組織化ネットワーク調整の通知、即ちＳＯＮ調整通知を発行する。ＨＭＬエンティティは、ＬＭＬから少なくとも１つのＳＯＮ機能のアクションを通知する自己組織化ネットワーク調整の通知、即ちＳＯＮ調整通知を受け取り、そしてその通知されたアクションをＨＭＬにおけるＳＯＮ調整に関して調整し、即ちＳＯＮ調整を遂行する。
【００３９】
本発明の規範的な実施形態によるこのような手順は、ＬＭＬレベル（例えば、ＮＥ又はＥＭ／ＤＭレベル）機能のアクティビティをＨＭＬ（例えば、ＮＭ）レベルに露出できるようにする。
【００４０】
本発明の規範的な実施形態によれば、ＬＭＬにおける動作／機能が作用し、即ちＬＭＬエンティティが少なくとも１つのＳＯＮ機能及び／又はＳＯＮ調整機能において又はそれにより実現され、その機能は、その基礎となるネットワークの低い管理レベル、例えば、ＮＥ及び／又はＥＭ／ＤＭにおいて任意のネットワークエンティティに位置している。又、ＨＭＬにおける動作／機能が作用し、即ちＨＭＬエンティティがＳＯＮ調整機能において又はそれにより実現され、その機能は、その基礎となるネットワークの高い管理レベル、例えば、ＮＭにおいて任意のネットワークエンティティに位置している。
【００４１】
本発明の規範的な実施形態によれば、ＨＭＬにおけるＳＯＮ動作は、受け取ったＳＯＮ調整通知から導出可能な（ＬＭＬからの）調整関連情報を、ＨＭＬにおいて（ローカルに）入手可能な調整関連情報に追加し／収集し、及び／又は受け取ったＳＯＮ調整通知から導出可能な（ＬＭＬからの）調整関連情報を、(ＨＭＬにおいて）(ローカルに）入手可能な調整関連情報と結合させることを含む。ＨＭＬにおいて（ローカルに）入手可能な調整関連情報は、ＨＭＬ内部のＳＯＮ（調整）通知から導出可能な以前に収集された情報及び／又は最近の情報である。次いで、ＨＭＬにおける更に別のＳＯＮ関連動作／機能は、そのような追加／収集された及び／又は結合された調整情報に基づく。従って、異なる管理レベルから生じる調整関連情報の追加／収集及び／又は結合により、マルチレベルＳＯＮ調整を実際に実現することができる。
【００４２】
本発明の規範的な実施形態によれば、図２の動作／機能は、異なるＳＯＮ調整のケース又は振舞いに適用することができる。以下に述べるように、そのような適用可能なＳＯＮ調整ケース又は振る舞いは、例えば、ＳＯＮ調整要求ケース又は振舞い（前アクション調整ケース又は振舞いとも称される）と、ＳＯＮ調整情報ケース又は振舞い（後アクション情報ケース又は振舞いとも称される）と、を含む。ＳＯＮ調整要求ケース又は振舞いでは、ＬＭＬにおける少なくとも１つのＳＯＮ機能のアクションに対するＳＯＮ調整決定がＨＭＬから要求され、そしてＳＯＮ調整情報ケース又は振舞いでは、ＬＭＬにおける少なくとも１つのＳＯＮ機能のアクションに関してＨＭＬに通知がなされる。そのようなケース又は振舞いの更なる詳細は、以下に略述する。
【００４３】
図３は、本発明の規範的な実施形態による手順の規範的な変形例を示す概略図である。
【００４４】
図３に示すように、本発明の規範的な実施形態による手順は、図２による手順の動作／機能を含む。それに加えて、図３による手順は、以下の動作／機能の少なくとも１つを含む。図３では、簡単化のためにそのような付加的な動作／機能の両方が示されているが、それらは、本来、互いに独立したものであることに注意されたい。
【００４５】
図３の一点鎖線を参照すれば、一方では、本発明の規範的実施形態による手順は、ＨＭＬエンティティが（ＳＯＮ調整通知を受け取った際に）、ＬＭＬにおける通知されたアクションに対してＳＯＮ調整決定を行い、そしてＳＯＮ調整のための動作（即ち、管理動作）、即ちアクションに対するＳＯＮ調整決定を含むＳＯＮ調整動作をＬＭＬへ発行することを含む。ＬＭＬにおける通知されたアクションに対するＳＯＮ調整決定は、ＨＭＬにおけるＳＯＮ調整を考慮して行われる。次いで、ＬＭＬエンティティは、ＳＯＮ調整のための動作（即ち、管理操作）、即ち通知されたアクションに対するＳＯＮ調整決定を含むＳＯＮ調整動作をＨＭＬから受け取り、そしてその通知されたアクションに対するＳＯＮ調整決定に基づきＬＭＬにおいて少なくとも１つのＳＯＮ機能を働かせる。
【００４６】
ここで使用する通知及び動作（即ち、管理動作）は、各々、あるインターフェイスを経て転送されるメッセージを表わす。
【００４７】
更に、ここで使用する転送動作（即ち、管理動作）は、ＬＭＬにおけるＳＯＮ調整及び／又はＳＯＮ機能動作に対する一種のインストラクション、コマンド又は指令に対応するか又はそれと同等であると解釈される。
【００４８】
本発明の規範的実施形態によれば、図２及び３のいずれか１つによる手順は、任意の想像可能な仕方でトリガーされた際に開始される。例えば、ＬＭＬにおけるＳＯＮ調整通知の発行及び／又はＳＯＮ調整ケース／振舞いの選択は、例えば、ＬＭＬが少なくとも１つのＳＯＮ機能及び／又はそれに鑑み（マルチレベルの）ＳＯＮ調整の実行についての必要性又は意図又は要望を決定したときにトリガーされる。又、そのようなトリガーは、ＨＭＬからのある確認及び／又は調整が必要であるか又は意図されるか又は要望されることをＬＭＬが決定することにある。
【００４９】
本発明の規範的な実施形態によれば、ＬＭＬにおけるＳＯＮ機能動作は、一般的に、少なくとも１つの当該ＳＯＮ機能における／機能による少なくとも１つの当該アクションの実行及び／又は実行の調整を含む。即ち、各ＳＯＮ機能は、適宜に動作／実行されるか、或いは各ＳＯＮ機能は、ＬＭＬエンティティが少なくとも１つのＳＯＮ機能において又は機能により実現されるときは各ＳＯＮ機能間に分散状態で適宜に動作／実行されるように調整されるが、各ＳＯＮ機能は、ＬＭＬエンティティがＳＯＮ調整機能において又は機能により実現されるときは集中状態で（ドメイン、ＤＭ、ＥＭ、ＮＥ又はＬＭＬ内で）適宜に動作／実行されるように調整される。
【００５０】
本発明の規範的な実施形態によれば、ＳＯＮ調整インターフェイスを経てのＳＯＮ調整手順は、ＨＭＬエンティティがマスターとして働きそしてＬＭＬエンティティがスレーブとして働く一種のマスター／スレーブ動作原理に基づく。即ち、図３から明らかなように、ＬＭＬは、ＳＯＮ調整に関してＨＭＬに通知し、一方、ＨＭＬは、ＳＯＮ調整を（少なくともＨＭＬにおいて）適宜に遂行する。この点に関して、上述したように、ＨＭＬは、ＬＭＬで発生した通知からの情報を、ＳＯＮ調整のために収集した情報に追加し、そしてＳＯＮ調整の目的でこのように収集された情報を結合し、これは、例えば、ＳＯＮ調整決定を行いそしてその決定をＬＭＬへ配布する（管理動作として）ことを含む。次いで、ＬＭＬは、ＳＯＮ調整の結果（例えば、ＨＭＬ発生決定）をＳＯＮ調整の目的で実施する。
【００５１】
上述したように、本発明の規範的な実施形態による動作／機能は、図３に示すように、異なるＳＯＮ調整ケース又は振舞いに適用することができ、例えば、ＳＯＮ調整要求ケース又は振舞い、及びＳＯＮ調整情報ケース又は振舞いに適用することができる。
【００５２】
以下、本発明の規範的な実施形態によるこれら２つの規範的に適用可能なＳＯＮ調整ケース又は振舞いを詳細に説明する。
【００５３】
上述したように、前アクション調整ケース又は振舞いでは、ＳＯＮ機能又は子調整機能（即ち、上位／高ランクの親調整機能を高いレベルにもつ親子関係におけるＳＯＮ調整機能）が、意図されたアクションを遂行する前に案内を求め、一方、後アクション情報ケース又は振舞いでは、ＳＯＮ機能又は子調整機能がアクションを遂行し、そして高レベルの調整機能又は親調整機能（即ち、下位／低ランク親調整機能を低いレベルにもつ親子関係におけるＳＯＮ調整機能）にそれを通知する。
【００５４】
ＳＯＮ調整要求ケース又は振舞い（即ち、前アクション調整ケース又は振舞い）では、通知されるアクションは、ＬＭＬレベルにおいて少なくとも１つのＳＯＮ機能により遂行されるべき意図されたアクションに関連している。即ち、このケースにおけるＳＯＮ調整は、まだ遂行されていないアクションに関連している。
【００５５】
このケースでは、ＳＯＮ調整通知は、ＳＯＮ調整独自の要求を含み、ここでは、意図されたアクションが通知され、それに対してＨＭＬからＳＯＮ調整決定が要求される。従って、ＨＭＬにおけるＳＯＮ調整、並びにＳＯＮ調整決定及びＳＯＮ調整動作は、意図されたアクションを指し、そしてその意図されたアクションに対してＬＭＬにおける少なくとも１つのＳＯＮ機能が動作される。
【００５６】
ＳＯＮ調整独自の要求は、どのＳＯＮ調整決定が行われるかに基づいて少なくとも１つの自己組織化ネットワーク機能の調整関連プロフィール情報を含む。
【００５７】
より詳細には、ＳＯＮ調整決定は、意図されたアクションの確認、又は意図されたアクションの拒絶、或いは意図されたアクションとは別の少なくとも１つのアクション（を導くもの(directing to)）のいずれかに対応する。ＳＯＮ調整決定が、意図されたアクションの確認に対応するときには、ＬＭＬにおけるＳＯＮ機能動作は、意図されたアクションを遂行し、及び／又はその遂行を調整することを含む。ＳＯＮ調整決定が、意図されたアクションの拒絶に対応するときには、ＬＭＬにおけるＳＯＮ機能動作は、意図されたアクションを禁止し（例えば、防止、スキップ、省略、等）、及び／又は意図されたアクションの禁止を調整する（例えば、防止、スキップ、省略、等）ことを含む。ＳＯＮ調整決定が、意図されたアクションとは別の少なくとも１つのアクション（を導くもの）に対応するときには、ＬＭＬにおけるＳＯＮ機能動作は、（意図されたアクションではなく）少なくとも１つの別のアクションを遂行し及び／又はその遂行を調整することを含む。
【００５８】
又、ＳＯＮ調整決定は、意図されたアクションをアンドゥする(undoing)ことに対応してもよい。即ち、そのようなアンドゥ決定は、どのＨＭＬ（即ち、その調整ロジック）がある状態を保持しているか及びどれが現在（即ち、新たに要求されたアクションを伴う現在のＳＯＮ調整独自の要求に応答して）その新たに要求されたアクションに鑑みアンドゥされるのに適当であるかに関して早期アクション（即ち、以前の通知又は動作サイクル）に関連している。
【００５９】
ＳＯＮ調整情報ケース又は振舞い（即ち、後アクション情報ケース又は振舞い）では、通知されたアクションは、ＬＭＬにおいて少なくとも１つのＳＯＮ機能により遂行された遂行済みアクションに関連している。即ち、このケースのＳＯＮ調整は、既に遂行されたアクションに関連している。
【００６０】
このケースでは、ＳＯＮ調整通知は、ＳＯＮ調整独自の情報を含み、ここでは、遂行されたアクションが通知され、それに基づくＳＯＮ調整についてＨＭＬに通知がなされる。従って、ＨＭＬにおけるＳＯＮ調整、並びに潜在的に（もしあれば）ＳＯＮ調整決定及びＳＯＮ調整動作は、その遂行されたアクションを指し、そしてＬＭＬにおける少なくとも１つのＳＯＮ機能は、遂行されたアクションに関して又はそれに鑑み動作される。
【００６１】
このケースでは、ＬＭＬに対する特定のＳＯＮ調整決定も、それに対応するＳＯＮ調整動作及びＳＯＮ機能動作も要求されない。即ち、遂行されたアクションが受け容れられ、従って、それが確認されねばならないとＨＭＬエンティティが考える（ＨＭＬにおけるそのＳＯＮ調整で）ときには、この手順は、更なる動作／機能を伴わずに終了となる。遂行されたアクションが受け容れられず、従って、それが確認されないとＨＭＬエンティティが考える（ＨＭＬにおけるそのＳＯＮ調整で）ときには、ＨＭＬエンティティは、ＳＯＮ調整決定を行って、それに対応するＳＯＮ調整動作を発行し、そしてＬＭＬエンティティは、ＳＯＮ機能を適宜に動作する。
【００６２】
より詳細には、ＳＯＮ調整決定は、遂行されたアクションとは別の少なくとも１つのアクション（を導くもの）の１つ、及びその遂行されたアクションのアンドゥに対応することがある。ＳＯＮ調整決定が、遂行されたアクションとは別の少なくとも１つのアクション（を導くもの）に対応するときには、ＬＭＬにおけるＳＯＮ機能動作は、（以前に遂行されたアクションに加えて）少なくとも１つの別のアクションを遂行し及び／又は遂行を調整することを含む。ＳＯＮ調整決定が、遂行されたアクションのアンドゥ（基本的に、前アクション調整ケース又は振る舞いにおける拒絶と同等）に対応するときには、ＬＭＬにおけるＳＯＮ機能動作は、遂行されたアクションをアンドゥし及び／又はアンドゥを調整することを含む。
【００６３】
ＳＯＮ調整要求ケース又は振舞いの場合には、ＬＭＬエンティティは、要求されたアクションにおける決定／動作に基づいてＬＭＬがアクションを行えるまでに、ＨＭＬエンティティからの決定／動作を待機しなければならない。ＳＯＮ調整情報ケース又は振舞いの場合には、ＬＭＬエンティティは、前記後アクション情報通知の発行後に同じ又は異なるＳＯＮ機能により更に別のアクションを遂行することができ、そのような更に別のアクションは、各々、２つのＳＯＮ調整ケース又は振舞いのいずれか一方を受ける。又、そのような更に別のアクションは、例えば、実施独自のものであってもよい。
【００６４】
本発明の規範的実施形態によれば、ＳＯＮ調整独自の要求は、動作／通知のための（３ＧＰＰ）テンプレートに基づく通知である。より詳細には、ＳＯＮ調整独自の要求は、例えば、ｎｏｔｉｆｙＳＯＮＣｏｏｒｄｉｎａｔｉｏｎＲｅｑｕｅｓｔ通知、等の、ＳＯＮコントロール及び／又はＳＯＮ調整インターフェイスに対する通知のための専用情報オブジェクトクラス（ＩＯＣ）のインスタンスである。
【００６５】
そのような通知は、ＩＲＰＡｇｅｎｔ（即ち、例えば、ＬＭＬにおけるＳＯＮ調整（子）プロセス、又は直接的にはＳＯＮ機能プロセス）が、ＩＲＰＭａｎａｇｅｒ（即ち、例えば、ＨＭＬにおけるＳＯＮ調整（親）プロセス）から決定を要求するのを許す。ＳＯＮ調整独自の要求のそのような通知は、次の情報エレメントの１つ以上を入力パラメータ（即ち、通知団体のコンテンツ又はペイロード）として含む。
【００６６】
要求ＩＤ（又はｒｅｑｕｅｓｔＩｄ）
この情報エレメントは、要求インスタンス、例えば、関連ｎｏｔｉｆｙＲａｄｉｏＤａｔａＣｏｍｐｌｅｔｉｏｎＲｅｑｕｅｓｔ通知の識別子である。これは、情報ｎｏｔｉｆｉｃａｔｉｏｎＩｄに一致する。
【００６７】
この情報エレメントは、通知がフィルタリングされる必須のクオリファイア(qualifier)、即ちＭ，Ｙクオリファイアを表わす。
【００６８】
要求ＳＯＮ機能（又はｒｅｑｕｅｓｔｉｎｇＳＯＮＦｕｎｃｔｉｏｎ）
この情報エレメントは、例えば、ＨＯＯ、ＬＢＯ、ＣＣＯ、等の、調整を要求するＳＯＮ機能又はＳＯＮ機能タイプを識別する。ＳＯＮ機能（例えば、一種のメガＳＯＮ機能）が、例えば、ＨＯＯ及びＬＢＯのような多数のＳＯＮ機能又はＳＯＮ機能タイプを処置する場合には、これらのＳＯＮ機能又はＳＯＮ機能タイプの全部がこの情報エレメントにおいて指示されるか又はフラグが立てられる。
【００６９】
この情報エレメントは、通知がフィルタリングされる必須のクオリファイア、即ちＭ，Ｙクオリファイアを表わす。
【００７０】
ＳＯＮ機能プロフィール（又はｓｏｎＦｕｎｃｔｉｏｎＰｒｏｆｉｌｅ）
この情報エレメントは、調整にとって重要な前記情報エレメントにより指示されるＳＯＮ機能（１つ又は複数）、例えば、ベンダー、リリースｘｙｚ、プライオリティ、（後続の）最適化ターゲット（１つ又は複数）、及びそのプライオリティ（１つ又は複数）及び／又は重み（１つ又は複数）、動作の現在ステップ／ステージ、要求時間、想像される影響エリア、ターゲットセル、想像される影響時間、等、の１つ以上に関する情報を与える。影響エリア及び影響時間は、決定を行う前に、調整機能インスタンス、及び／又はその情報部分に基づく別の対応するＳＯＮ機能インスタンス、等により、更に調整できることに注意されたい。
【００７１】
この情報エレメントは、通知がフィルタリングされない必須のクオリファイア、即ちＭ，Ｎクオリファイアを表わす。
【００７２】
ＳＯＮが意図するアクション（又はｓｏｎＩｎｔｅｎｄｅｄＡｃｔｉｏｎ）
この情報エレメントは、例えば、ＬＭＬにおける（子）ＳＯＮ調整プロセス（又はＳＯＮ機能）が、意図されたアクションの決定について、例えば、ＨＮＬにおける（親）ＳＯＮ調整プロセスを要求するところの、前記情報エレメントによって指示されるＳＯＮ機能（１つ又は複数）の意図されたアクションを含む。その意図されたアクションパラメータは、次の情報、即ちアクションのタイプ（例えば、プロセス呼び出し、パラメータ構成、等）、プロセス呼び出しのパラメータ、構成のパラメータ（選択された値／最適な値及び受け容れ可能な値の範囲）、ターゲットセル、アクションの計画時間、想像される影響エリア、想像される影響時間（即ち、影響エリア内で他のプロセス又は再構成を行ってはならない時間）、等の幾つかを含む（それらより成る）。
【００７３】
この情報エレメントは、通知がフィルタリングされない必須のクオリファイア、即ちＭ，Ｎクオリファイアを表わす。
【００７４】
本発明の規範的な実施形態によれば、例えば、前記ＳＯＮ意図アクションエレメントに含まれる（当該ＳＯＮ機能の）構成データの情報は、構成パラメータを最後に変化させた時間、それを再変化してはならない期間、及び／又はその最後の変化で重み／プライオリティが追求されたＳＯＮターゲット、に関する情報により拡張される。次いで、（ＳＯＮ調整による）新たな変化は、充分に高いランクのＳＯＮターゲット（例えば、プライオリティ及び／又は重みに関して）がその変化により追求されるとき、及び／又は無変化タイマーが時間切れしたときだけ、（例えば、ＳＯＮ調整決定により）許される。
【００７５】
本発明の規範的な実施形態によれば、ＳＯＮ調整決定の結果（例えば、前アクション調整要求又は後アクション調整情報）についてＩＲＰＡｇｅｎｔに通知するために、新たな動作が定義されるか、又は新たなサポートＩＯＣが定義され、そのクリエート動作で情報をＩＲＰＡｇｅｎｔへ中継する。
【００７６】
本発明の規範的な実施形態によれば、ＳＯＮ調整独自の情報は、動作／通知のための（３ＧＰＰ）テンプレートに基づく通知である。より詳細には、ＳＯＮ調整独自の情報は、例えば、ｎｏｔｉｆｙＡｔｔｒｉｂｕｔｅＶａｌｕｅＣｈａｎｇｅ通知、ｎｏｔｉｆｙＯｂｊｅｃｔＣｒｅａｔｉｏｎ通知、又はｎｏｔｉｆｙＯｂｊｅｃｔＤｅｌｅｔｉｏｎ通知、等の、ＳＯＮコントロール及び／又はＳＯＮ調整インターフェイスに対する通知のための専用情報オブジェクトクラス（ＩＯＣ）のインスタンスである。従って、後アクション情報は、既存の３ＧＰＰ通知を再使用又は拡張するか、或いは既存の３ＧＰＰ通知をＳＯＮ調整独自の通知に対するテンプレートとして使用することにより、得られる。
【００７７】
そのような通知は、ＩＲＰＡｇｅｎｔ（即ち、例えば、ＬＭＬにおけるＳＯＮ調整（子）プロセス、又は直接的にはＳＯＮ機能プロセス）が、ＩＲＰＭａｎａｇｅｒ（即ち、例えば、ＨＭＬにおけるＳＯＮ調整（親）プロセス）に、遂行されるアクションについて通知するのを許す。ＳＯＮ調整独自の情報のそのような通知は、次の情報エレメントの１つ以上を入力パラメータ（即ち、通知団体のコンテンツ又はペイロード）として含む。
【００７８】
情報ＩＤ（又はｉｎｆｏｒｍａｔｉｏｎＩｄ）
この情報エレメントは、情報インスタンス、例えば、関連ｎｏｔｉｆｙＲａｄｉｏＤａｔａＣｏｍｐｌｅｔｉｏｎＲｅｑｕｅｓｔ通知の識別子である。これは、情報ｎｏｔｉｆｉｃａｔｉｏｎＩｄに一致する。
【００７９】
この情報エレメントは、通知がフィルタリングされる必須のクオリファイア、即ちＭ，Ｙクオリファイアを表わす。
【００８０】
通知ＳＯＮ機能（又はｉｎｆｏｒｍｉｎｇＳＯＮＦｕｎｃｔｉｏｎ）
この情報エレメントは、例えば、ＨＯＯ、ＬＢＯ、ＣＣＯ、等の、調整を通知するＳＯＮ機能又はＳＯＮ機能タイプを識別する。ＳＯＮ機能（例えば、一種のメガＳＯＮ機能）が、例えば、ＨＯＯ及びＬＢＯのような多数のＳＯＮ機能又はＳＯＮ機能タイプを処置する場合には、これらのＳＯＮ機能又はＳＯＮ機能タイプの全部がこの情報エレメントにおいて指示されるか又はフラグが立てられる。
【００８１】
この情報エレメントは、通知がフィルタリングされる必須のクオリファイア、即ちＭ，Ｙクオリファイアを表わす。
【００８２】
遂行されたアクション（又はｓｏｎＰｅｒｆｏｒｍｅｄＡｃｔｉｏｎ）
この情報エレメントは、例えば、ＬＭＬにおけるどの（子）ＳＯＮ調整プロセス（又はＳＯＮ機能）が、例えば、ＨＭＬにおける（親）ＳＯＮ調整プロセスに通知するかに関して、前記情報エレメントにより指示されるＳＯＮ機能（１つ又は複数）の遂行されたアクションを含む。遂行されたアクションのパラメータは、次の情報、即ちアクションのタイプ（例えば、プロセス呼び出し、パラメータ構成、等）、プロセス呼び出しのパラメータ、構成のパラメータ（選択された値／最適な値及び受け容れ可能な値の範囲）、ターゲットセル、アクションの時間、想像される影響エリア、想像される影響時間（即ち、影響エリア内の他のプロセス又は再構成を行ってはならない時間）、等の幾つかを含む（それらより成る）。
【００８３】
この情報エレメントは、通知がフィルタリングされない必須のクオリファイア、即ちＭ，Ｎクオリファイアを表わす。
【００８４】
本発明の規範的な実施形態によれば、例えば、前記ＳＯＮ遂行アクションエレメントに含まれる（当該ＳＯＮ機能の）構成データの情報は、構成パラメータを最後に変化させた時間、それを再変化してはならない期間、及び／又はその最後の変化で重み／プライオリティが追求されたＳＯＮターゲット、に関する情報により拡張される。次いで、（ＳＯＮ調整による）新たな変化は、充分に高いランクのＳＯＮターゲット（例えば、プライオリティ及び／又は重みに関して）がその変化により追求されるとき、及び／又は無変化タイマーが時間切れしたときだけ、（例えば、ＳＯＮ調整決定により）許される。
【００８５】
本発明の規範的実施形態によれば、ＳＯＮ調整動作は、動作／通知のための（３ＧＰＰ）テンプレートに基づく動作である。より詳細には、ＳＯＮ調整動作は、例えば、ＳＯＮＣｏｏｒｄｉｎａｔｉｏｎＲｅｑｕｅｓｔ動作、等の、ＳＯＮコントロール及び／又はＳＯＮ調整インターフェイスに対する動作のための専用情報オブジェクトクラス（ＩＯＣ）のインスタンスである。
【００８６】
そのような動作は、ＩＲＰＭａｎａｇｅｒ（即ち、例えば、ＨＭＬにおけるＳＯＮ調整（親）プロセス）が、通知されたアクション、即ち前アクション調整要求に対して決定を与えるか、或いはＩＲＰＡｇｅｎｔ（即ち、例えば、ＬＭＬにおけるＳＯＮ調整（子）プロセス、又は直接的にはＳＯＮ機能プロセス）からの後アクション調整情報に対して反応することを許す。そのようなＳＯＮ調整動作は、次の情報エレメントの１つ以上を入力パラメータ（即ち、動作団体のコンテンツ又はペイロード）として含む。
【００８７】
要求ＩＤ（又はｒｅｑｕｅｓｔＩｄ）
この情報エレメントは、前アクション調整を要求する要求インスタンス、又は後アクション情報を与える情報インスタンスのような、関連調整通知の識別子である。これは、情報ｎｏｔｉｆｉｃａｔｉｏｎＩｄに一致する。
この情報エレメントは、必須のクオリファイア、即ちＭクオリファイアを表わす。
【００８８】
ＳＯＮ調整決定（又はｓｏｎＣｏｏｒｄｉｎａｔｉｏｎＤｅｃｉｓｉｏｎ）
この情報エレメントは、当該ＳＯＮアクション、例えば、（子）ＳＯＮ調整機能によるか或いは直接的に関連ＳＯＮ機能インスタンスにより要求された意図されたアクション、或いはそれにより通知された遂行されたアクションに対する決定を含む。
この情報エレメントは、更に、決定時間を含む。
【００８９】
これは、確認又は確認済み、拒絶又は拒絶済み、別のアクション又は他のアクション（又はそれを導くもの）、及びアンドゥイング又はアンドゥからの情報に一致する。決定が、前アクション調整ケース又は振舞いに対して考えられる確認又は確認済である場合には、要求された情報を適宜に実行又は調整することができる。決定が、前アクション調整ケース又は振る舞いに対して考えられる拒絶又は拒絶済である場合には、要求されたアクションを実行しないか、又は適宜に調整しなければならない。決定が、前アクション調整ケース又は振舞い、及び後アクション調整情報ケース又は振舞いの両方に対して考えられる別のアクション又は他のアクション（又はそれを導くもの）である場合には、通知される（少なくとも１つの）アクションを実行するか又は適宜に調整しなければならない。決定が、後アクション調整情報に対して考えられるアンドゥイング又はアンドゥである場合には、ここに述べるアクションをアンドゥするか、又は適宜に調整しなければならない。又、決定アンドゥイング又はアンドゥは、前アクション調整情報についても考えられ、このケースでは、それは、どの調整ロジックがある状態を保持したか、及び新たに要求されたアクションに鑑み、ここで、どれをアンドゥするのが適当であるかに関する早期アクション（即ち、以前の通知又は動作サイクル）を指すことに注意されたい。
この情報エレメントは、必須のクオリファイア、即ちＭクオリファイアを表わす。
【００９０】
更に、そのようなＳＯＮ調整動作は、次のような情報エレメントを出力パラメータとして含む。
【００９１】
結果
この情報エレメントは、結果＝成功を指示することによりデータ受信の成功を確認するか、又は結果＝失敗を指示することによりデータ受信の失敗を通知する。それは、情報結果に一致する。
この情報エレメントは、必須のクオリファイア、即ちＭクオリファイアを表わす。
【００９２】
図３の破線を参照すれば、他方では、本発明の規範的な実施形態による手順は、ＬＭＬエンティティが（ＳＯＮ調整通知を発行する前に）、上述したように、適用可能な異なるＳＯＮ調整ケース又は振舞い、例えば、ＳＯＮ調整要求ケース又は振舞い、或いはＳＯＮ調整情報ケース又は振舞いを選択することを含む。そのような選択に基づいて、上述したように、ＬＭＬエンティティは、ＳＯＮ調整独自の要求又はＳＯＮ調整独自の情報を発行し、そして更に別の手順は、それに応じて進められる。
【００９３】
本発明の規範的な実施形態によれば、そのような選択は、デフォールト調整振舞いに基づいてなされるか、及び／又は少なくとも１つの自己組織化ネットワークコントロール属性に従って機能ベース及びセルベースの少なくとも一方に基づいてなされる。少なくとも１つの自己組織化ネットワークコントロール属性は、ＬＭＬエンティティがそれ自身でアクションを行って後アクション情報を与えることができるかどうか、或いは前アクション調整を要求する必要があるかどうか知ることができるようにする付加的なコントロール情報を与える。そのようなコントロール情報は、ＳＯＮ機能レベルにあり、即ち関連ＳＯＮ機能（１つ又は複数）（例えば、「ＨＯＯは、常に、ＬＢＯとの前調整を必要とし」、「ＣＣＯは、ＨＯＯとの後調整を必要とする」）に依存するか、或いは特定のターゲットセルレベルにあり、即ち当該ＳＯＮ機能（１つ又は複数）又はアクション（１つ又は複数）の１つ以上のターゲットセル（例えば、「ＣＣＯは、セル１、２、３で行われるときに前調整を必要とするだけである」）に依存する。
【００９４】
調整に対するこれら２つのＳＯＮ調整ケース又は振舞い間の選択は、次のように行うことができる。
−マルチドメイン／レベル影響アクションを実行する前にＨＭＬにおける（親）ＳＯＮ調整機能によってそのアクションを確認する必要があるときに、前アクション調整ケース又は振舞いが適用され、及び
−（１）マルチドメイン／レベル影響アクションがＨＭＬにおける（親）ＳＯＮ調整機能から即時の直接的決定を要求せず、一方、そのアクション通知がＨＭＬにおける（親）ＳＯＮ調整機能の更なる調整決定に作用を及ぼすとき、及び／又は（２）マルチドメイン／レベル影響アクションを、ＨＭＬにおける（親）ＳＯＮ調整機能による後アクション情報に続いて決定され且つ実行された更に別の調整アクション（例えば、アンドゥ）を経てネットワークへの無視できるダメージと容易に相関できるとき、後アクション情報ケース又は振舞いが適用される。
【００９５】
更に、デフォールト振舞いは、他の明確な又は暗示的なケース／振舞い選択が行われなかったか又は行われない場合に、例えば、後アクション情報ケース又は振舞いを適用するように定義される。
【００９６】
そのようなデフォールト振舞いは、ＨＭＬにより又はシステムレベルで命令され、そしてＬＭＬは、そのようなＨＭＬ／システム発生デフォールト振舞いインストラクションに基づいて動作する。ＬＭＬ又はシステムレベルでのＳＯＮ調整ケース／振舞い選択では、ＬＭＬにおけるＳＯＮ調整ケース／振舞い選択の規範的シナリオについて上述したのと同様の特徴を適用することができる。
【００９７】
上述したＬＭＬにおけるケース／振舞い選択手順の任意の性質に鑑み、本発明の規範的実施形態は、そのようなケース／振舞い選択手順が実行されないシナリオ、システム及び構造と、そのようなケース／振舞い選択手順が別のレベル又は場所、例えば、ＨＭＬ又はシステムレベルで実行されるシナリオ、システム及び構造と、を包含することに注意されたい。例えば、本発明の規範的実施形態によれば、全体的なシステムは、上述したＳＯＮ調整ケース又は振舞いの一方のみと動作するように（前）構成され、従って、そのようなＳＯＮ調整ケース／振舞い選択を不必要にする。
【００９８】
一般的に、「アンドゥ」等の用語は、同様に、例えば、ロールバック等とも称されることに注意されたい。従って、ここで使用されるアンドゥを遂行／調整することと、ロールバックを遂行／調整することとは、同等又は同意語と解釈されたい。
【００９９】
本発明の規範的実施形態によれば、そのようなＳＯＮ調整ケース／振舞い選択は、（３ＧＰＰ）仕様による属性に基づく。特に、そのような属性は、ＳＯＮコントロール及び／又はＳＯＮ調整インターフェイスのための専用情報オブジェクトクラス（ＩＯＣ）、例えば、ＳＯＮ機能をスイッチオン及びオフするためのＩＯＣのインスタンスである。
【０１００】
機能レベル／ベースでの選択を可能にする本発明の規範的実施形態による属性は、ｓＯＮＦｕｎｃｔｉｏｎｓＦｏｒＣｏｏｒｄｉｎａｔｉｏｎＯｎＦｕｎｃｔｉｏｎＬｅｖｅｌ等として表わされ、その属性制約は、条件が「ＳＯＮ調整がサポートされる」というものである。そのクオリファイア特性は、そのサポートクオリファイア（としての使用）が構成管理を受け、その読み取りクオリファイア（としての使用）が必須であり、そしてその書き込みクオリファイア（としての使用）が必須である、というものである。
【０１０１】
属性ｓＯＮＦｕｎｃｔｉｏｎｓＦｏｒＣｏｏｒｄｉｎａｔｉｏｎＯｎＦｕｎｃｔｉｏｎＬｅｖｅｌ等は、特定のＳＯＮ機能又は複数の特定のＳＯＮ機能に対して、後アクション情報調整を適用すべきかどうか（即ち、後アクション情報通知を発行すべきかどうか）、又は前アクション要求調整を適用すべきかどうか（即ち、前アクション要求通知を発行すべきかどうか）定義するように明示される。
【０１０２】
その法定値は、次のものの１つ以上を含む。
−１つ以上のＳＯＮ機能又はＳＯＮ機能グループ並びにそれらの指定の振舞いのリスト、例えば、エレメントＳＯＮｃｏｏｒｄｉｎａｔｉｏｎＦｕｎｃｔｉｏｎＧｒｏｕｐＡｎｄＢｅｈａｖｉｏｒのリスト、
−エレメントＳＯＮｃｏｏｒｄｉｎａｔｉｏｎＦｕｎｃｔｉｏｎＧｒｏｕｐＡｎｄＢｅｈａｖｉｏｒ、シーケンス｛ＬｉｓｔｏｆＳＯＮｆｕｎｃｔｉｏｎ；ＳＯＮｃｏｏｒｄｉｎａｔｉｏｎＢｅｈａｖｉｏｕｒ｝、ここで、
−ＳＯＮｆｕｎｃｔｉｏｎは、ＨＯＯ、ＬＢＯ、ＣＣＯ、ＲＡＣＨＯ、ＡＮＲ・・・のようなＳＯＮ関数を指示し、及び
−ＳＯＮｃｏｏｒｄｉｎａｔｉｏｎＢｅｈａｖｉｏｕｒは、ｐｏｓｔＡｃｔｉｏｎｆｏｒｍａｔｉｏｎ及びｐｒｅＡｃｔｉｏｎＣｏｏｒｄｉｎａｔｉｏｎの一方を指示する。
【０１０３】
セルレベル／ベースでの選択を可能にする本発明の規範的実施形態による属性は、ｓＯＮＦｕｎｃｔｉｏｎｓＦｏｒＣｏｏｒｄｉｎａｔｉｏｎＯｎＣｅｌｌＬｅｖｅｌ等として表わされ、その属性制約は、条件が「ＳＯＮ調整がサポートされる」というものである。そのクオリファイア特性は、そのサポートクオリファイア（としての使用）が構成管理を受け、その読み取りクオリファイア（としての使用）が必須であり、そしてその書き込みクオリファイア（としての使用）が必須である、というものである。
【０１０４】
属性ｓＯＮＦｕｎｃｔｉｏｎｓＦｏｒＣｏｏｒｄｉｎａｔｉｏｎＯｎＣｅｌｌＬｅｖｅｌ等は、（ターゲット）セル又は複数の（ターゲット）セルに対して、後アクション情報調整を適用すべきかどうか（即ち、後アクション情報通知を発行すべきかどうか）、又はこれら（ターゲット）セル（１つ又は複数）を伴うＳＯＮ機能について前アクション要求調整を適用すべきかどうか（即ち、前アクション要求通知を発行すべきかどうか）定義するように明示される。
【０１０５】
その法定値は、次のものの１つ以上を含む。
−１つ以上のセル（１つ以上のＳＯＮ機能又はＳＯＮ機能グループに関連して）及びそれらの指定の振舞いのリスト、例えば、エレメントＳＯＮｃｏｏｒｄｉｎａｔｉｏｎＦｕｎｃｔｉｏｎＣｅｌｌＬｉｓｔＢｅｈａｖｉｏｒのリスト、
−エレメントＳＯＮｃｏｏｒｄｉｎａｔｉｏｎＦｕｎｃｔｉｏｎＣｅｌｌＬｉｓｔＡｎｄＢｅｈａｖｉｏｒ、シーケンス｛ＳＯＮｆｕｎｃｔｉｏｎ；ＬｉｓｔｏｆＣｅｌｌｓ；ＳＯＮｃｏｏｒｄｉｎａｔｉｏｎＢｅｈａｖｉｏｕｒ｝、ここで、
−ＳＯＮｆｕｎｃｔｉｏｎは、ＨＯＯ、ＬＢＯ、ＣＣＯ、ＲＡＣＨＯ、ＡＮＲ・・・のようなＳＯＮ関数を指示し、及び
−ＳＯＮｃｏｏｒｄｉｎａｔｉｏｎＢｅｈａｖｉｏｕｒは、ｐｏｓｔＡｃｔｉｏｎｆｏｒｍａｔｉｏｎ及びｐｒｅＡｃｔｉｏｎＣｏｏｒｄｉｎａｔｉｏｎの一方を指示する。
【０１０６】
２つの前記属性は、各々、単独で使用されてもよいし又は組み合わせて使用されてもよい。両方の属性、例えば、ｓＯＮＦｕｎｃｔｉｏｎｓＦｏｒＣｏｏｒｄｉｎａｔｉｏｎＯｎＦｕｎｃｔｉｏｎＬｅｖｅｌ及びｓＯＮＦｕｎｃｔｉｏｎｓＦｏｒＣｏｏｒｄｉｎａｔｉｏｎＯｎＣｅｌｌＬｅｖｅｌが同じＳＯＮ機能に関する情報を含む場合には、リストされた（ターゲット）セル（１つ又は複数）に対してｓＯＮＦｕｎｃｔｉｏｎｓＦｏｒＣｏｏｒｄｉｎａｔｉｏｎＯｎＣｅｌｌＬｅｖｅｌが優勢となる。
【０１０７】
図４は、本発明の規範的な実施形態によるマルチレベル自己組織化ネットワーク調整の規範的構造の概略図である。
【０１０８】
図４の構造は、ＮＭレベルがその基礎となるネットワークの高い管理レベルを表わし、一方、ＥＭ／ＤＭ／ＮＥレベル（即ち、ＥＭ／ＤＭレベル及び／又はＮＥレベルの一方）がその基礎となるネットワークの低い管理レベルを表わすとの仮定に規範的に基づく。或いは又、上述したように、ＥＭ／ＤＭレベルがその基礎となるネットワークの高い管理レベルを表わし、一方、ＮＥレベルがその基礎となるネットワークの低い管理レベルを表わすというケースもある。
【０１０９】
図４に示すように、この規範的な構造は、ＮＭエンティティが、ＩＲＰＭａｎａｇｅｒエンティティを表わすＳＯＮ調整機能を含み、そして各ＥＭ／ＤＭ／ＮＥエンティティが、ＩＲＰＡｇｅｎｔエンティティを表わすＳＯＮ調整機能を含むと仮定する。ＮＭエンティティにおけるＳＯＮ調整機能、及びドメイン１のＥＭ／ＤＭ／ＮＥエンティティにおけるＳＯＮ調整機能は、親子関係にある。
【０１１０】
上述したように、ＬＭＬ関連の動作／機能は、ＥＭ／ＤＭ／ＮＥレベルにおけるＳＯＮ調整機能、例えば、ドメイン１のＥＭ／ＤＭ／ＮＥエンティティにおけるＳＯＮ調整機能、又はＥＭ／ＤＭ／ＮＥレベルにおけるＳＯＮ機能、例えば、ドメイン１のＥＭ／ＤＭ／ＮＥエンティティにおけるプロセスインスタンス６のＳＯＮ機能により実現され、一方、ＨＭＬ関連の動作／機能は、ＨＭＬレベルにおけるＳＯＮ調整機能、例えば、ＮＭエンティティにおけるＳＯＮ調整機能により実現される。
【０１１１】
ＨＭＬエンティティと共同するＬＭＬ位置のＳＯＮ機能のケースでは、ＮＭは、例えば、図４によればプロセスインスタンス３、４及び６の間で、全ての調整機能アクティビティを遂行する（そしてドメイン内のＳＯＮ機能は、例えば、分散状態でそれら自体の間で調整を行う）。ＨＭＬエンティティと共同するＬＭＬ位置のＳＯＮ調整機能のケースでは、ＥＭ／ＤＭ／ＮＥは、例えば、図４によればプロセスインスタンス３及び４について、その調整されるＳＯＮ機能の調整機能アクティビティを遂行する。
【０１１２】
本発明の規範的実施形態によるそのようなマルチレベル調整インターフェイス機能は、ＬＭＬ（Ｉｔｆ−Ｎインターフェイスを指示する破線の下）とＨＭＬ（Ｉｔｆ−Ｎインターフェイスを指示する破線の上）との間の通知／動作について２対の矢印により図４に示されている。本発明の規範的実施形態によるそのようなマルチレベル調整インターフェイス機能は、図４に規範的に示すように、あるＳＯＮ機能間のレベル交差及びドメイン交差相互依存性に取り組むのに有効である。
【０１１３】
図４によるＳＯＮ調整構造は、単なる例示に過ぎないことに注意されたい。特に、図４は、ＬＭＬ（例えば、ＥＭ／ＤＭ／ＮＥレベル）におけるＳＯＮ機能がＨＭＬエンティティと直接協働し、そしてＳＯＮ調整機能が２つの他のＳＯＮ機能についてＨＭＬと協働する構造を示すが、他の構造も適用できる。別の構造では、ＬＭＬ（例えば、ＥＭ／ＤＭ／ＮＥレベル）における直接協働するＳＯＮ機能及び調整されるＳＯＮ機能の数が異なる。又、別の構造では、ＬＭＬ（例えば、ＥＭ／ＤＭ／ＮＥレベル）における全ＳＯＮ機能が、１つ以上のＳＯＮ調整機能により調整されるか、或いはＬＭＬ（例えば、ＥＭ／ＤＭ／ＮＥレベル）における全ＳＯＮがＨＭＬエンティティと直接調整する。
【０１１４】
一般的に、マスター／スレーブ、親／子及びマネージャー／エージェントのような用語対は、ここでは、異なる管理レベル及び／又はそれらの各エンティティ／機能間のハイアラーキーを参照するために使用される。そのような用語対は、本明細書において同等又は同意語と解釈されるべきである。特に、上位／高ランクのＳＯＮ調整機能（高いレベルにおける）と下位／低ランクのＳＯＮ調整機能（低いレベルにおける）との間の関係は、ここでは、同様に、マスター／スレーブ関係、親／子関係及びマネージャー／エージェント関係とも称される。
【０１１５】
以上のことから、本発明の規範的な実施形態は、異なる管理レベル及びドメインを横切る適切且つ有効なＳＯＮ調整を促進するマルチレベル自己組織化ネットワーク調整を提供する。本発明の規範的な実施形態によるそのようなマルチレベル自己組織化ネットワーク調整は、標準的ＯＳＳ／ＡＯＭインターフェイス、即ちＩｔｆ−Ｎインターフェイス及びＩｔｆ−Ｓインターフェイスの少なくとも一方を横切るＳＯＮ調整に対して有効な手順、情報エレメント、等を提供する。
【０１１６】
従って、異なる管理レベル間での自己組織化ネットワーク調整情報の搬送を促進する具体的なマルチレベル自己組織化ネットワーク調整手順が提供される。
【０１１７】
従って、マルチベンダー／リリースドメイン調整の原理に基づく具体的なマルチレベル調整インターフェイスであって、ＳＯＮ調整機能が各ＯＳＳ／ＯＡＭ管理レベル（即ち、ネットワークエレメント（ＮＥ）レベル、エレメント管理（ＥＭ）レベル、及びネットワーク管理（ＮＭ）レベル）に指定されるインターフェイスが提供される。本発明の規範的実施形態によるインターフェイス手順は、子又は低レベルエンティティが、意図されたアクションの調整決定について親又は高レベルエンティティに要求するか、又は遂行されたアクションに関してそれに通知し、そして親又は高レベルエンティティが、ＯＳＳ／ＯＡＭインターフェイスを経て子又は低レベルエンティティにその決定で適宜応答する「通知・動作」手順に基づくものである。
【０１１８】
本発明の規範的な実施形態によれば、高い管理レベルにおけるＳＯＮ調整機能は、低い管理レベルにおけるＳＯＮ調整機能の親（マネージャー）として働き、そして低い管理レベルにおけるＳＯＮ調整機能は、高い管理レベルにおける親（マネージャー）ＳＯＮ調整機能の子（エージェント）として働く。子（エージェント）と親（マネージャー）との間のインターフェイスは、それがＯＳＳ／ＡＭインターフェイス（Ｉｔｆ−Ｓ及び／又はＩｔｆ−Ｎインターフェイス）を経て定義されるように明示される。
【０１１９】
本発明の規範的実施形態によるマルチレベル自己組織化ネットワーク調整（インターフェイス）は、上述したように、マルチベンダー／リリースネットワーク及び／又は異種ネットワークに適用することができる。
【０１２０】
更に、本発明の規範的実施形態によるマルチレベル自己組織化ネットワーク調整（インターフェイス）は、分散型、集中型又はハイブリッドＳＯＮアーキテクチャーに適用することができる。図１を参照すれば、図示されたＳＯＮアーキテクチャーは、ＥＭ／ＤＭ（及び／又はＮＥ）だけがＳＯＮ機能をもつときは分散型ＳＯＮアーキテクチャーであり、ＮＭだけがＳＯＮ機能をもつときは集中型ＳＯＮアーキテクチャーであり、そしてＥＭ／ＤＭ（及び／又はＮＥ）並びにＮＭがＳＯＮ機能をもつときはハイブリッドＳＯＮアーキテクチャーである。いずれにせよ、本発明の規範的実施形態によるマルチレベル自己組織化ネットワーク調整（インターフェイス）は、ＮＭ、ＥＭ／ＤＭ及びＮＥ間に（管理可能な）ＳＯＮ調整機能を分散させることができるので、ハイブリッドＳＯＮアーキテクチャーに特に適している。
【０１２１】
本発明の規範的実施形態によるマルチレベル自己組織化ネットワーク調整（手順／インターフェイス）は、例えば、ＨＯＯ、ＬＢＯ、ＣＣＯ、ＡＮＲ、ＲＡＣＨＯ等を含めて、想像可能なＳＯＮ機能又はＳＯＮ機能間の結合／相互依存性を調整するのに適用できる。この点に関して、ＨＯＯは、同様に、例えば、ＭＲＯとも称され、そしてＬＢＯは、同様に、例えば、ＭＬＢとも称される。
【０１２２】
一般的に、ここで、ネットワークマネージャー、エレメントマネージャー、ドメインマネージャー又はネットワークエレメントを参照するときには、その実現又は実施に関わらず、実際上、それに対応する機能を意味する。例えば、本明細書の意味におけるネットワーク／ドメイン／エレメントマネージャーは、それに対応する機能を示す限り、スタンドアローンネットワークエンティティ、ネットワークエンティティにおける一体化機能、各システム一体化、等として実現又は実施されるネットワーク／ドメイン／エレメントマネージャー／マネージング機能を指す。
【０１２３】
上述した手順及び機能は、以下に述べるように、各機能的エレメント、プロセッサ、等により実施される。
【０１２４】
本発明の以上の規範的実施形態は、主として、方法、手順及び機能を参照して説明したが、本発明のそれに対応する規範的な実施形態は、ソフトウェア及び／又はハードウェアの両方を含めて、各装置、ネットワークノード及びシステムも包含する。
【０１２５】
本発明の各規範的な実施形態を、図５を参照して以下に述べるが、簡潔化のため、図１から４を参照して述べた方法及び機能、原理及び動作の詳細な説明を参照する。
【０１２６】
図５において、実線のブロックは、基本的に、上述した各動作を遂行するように構成される。全ての実線ブロックは、基本的に、上述した方法及び装置を各々遂行するように構成される。図５については、個々のブロックが、各機能、プロセス又は手順を各々実施する各機能的ブロックを示すことを意味することに注意されたい。そのような機能的ブロックは、実施独立であり、即ちある種のハードウェア又はソフトウェアにより実施される。個々のブロックを相互接続する矢印及び線は、それらの間の動作結合を示すことを意味し、それは、物理的及び／又は論理的結合であって、一方では実施独立であり（例えば、ワイヤード又はワイヤレス）そして他方では任意の数の中間の機能的エンティティ（図示せず）も含む。矢印の方向は、ある動作が遂行される方向、及び／又はあるデータが転送される方向を示すことを意味する。
【０１２７】
更に、図５には、上述した方法、手順及び機能のいずれかに関連する機能的ブロックだけが示されている。当業者であれば、例えば、電源、中央処理ユニット、各メモリ、等の各構造上の構成体の動作に必要な他の従来の機能的ブロックの存在が認識されよう。とりわけ、メモリは、ここに述べるように動作する個々の機能的エンティティをコントロールするプログラム又はプログラムインストラクションを記憶するために設けられる。
【０１２８】
図５は、本発明の規範的実施形態による規範的な装置の概略図である。
【０１２９】
以上に鑑み、ここに示した装置１０及び２０は、ここに述べる本発明の規範的実施形態の具現化に使用するのに適している。
【０１３０】
ここに示した装置１０は、セルラー通信システム又はその基礎的なネットワーク（例えば、そのモデム）のＮＥ（例えば、ｅＮＢ）或いはＥＭ又はＤＭのような低い管理レベルのエンティティ（の一部分）を表わし、そして図１から明らかなようにアーキテクチャー関係を示すと共に、図２ないし４の１つから明らかなように手順を遂行し及び／又は機能を示すように構成される。ここに示した装置２０は、セルラー通信システム又はその基礎的なネットワーク（例えば、そのモデム）のＥＭ又はＤＭ又はＮＭのような高い管理レベルのエンティティ（の一部分）を表わし、そして図１から明らかなようにアーキテクチャー関係を示すと共に、図２ないし４の１つから明らかなように手順を遂行し及び／又は機能を示すように構成される。
【０１３１】
図５に示すように、本発明の規範的な実施形態によれば、各装置は、プロセッサ１１／２１、メモリ１２／２２、及びインターフェイス１３／２３を備え、それらは、バス１４／２４、等により接続され、そして装置は、各々、リンクＡを経て接続される。
【０１３２】
プロセッサ１１／２１及び／又はインターフェイス１３／２３は、（ハードワイヤ又はワイヤレス）リンクを経て各々通信を促進するためにモデム等も含む。インターフェイス１３／２３は、リンク又は接続された装置（１つ又は複数）と各々（ハードワイヤ又はワイヤレス）通信するために１つ以上のアンテナ又は通信手段に結合された適当なトランシーバを含む。インターフェイス１３／２３は、一般的に、少なくとも１つの他の装置、即ちそのインターフェイスと通信するように一般的に構成される。
【０１３３】
メモリ１２／２２は、各プロセッサにより実行されたときに、各電子デバイス又は装置が本発明の規範的実施形態に基づいて動作できるようにするプログラムインストラクション又はコンピュータプログラムコードを含むと仮定する。
【０１３４】
一般的に述べると、各デバイス／装置（及び／又はその一部分）は、各動作を遂行し及び／又は各機能を示すための手段を提示し、及び／又は各デバイス（及び／又はその一部分）は、各動作を遂行し及び／又は各機能を示すための機能を有する。
【０１３５】
以下の説明において、プロセッサ（又は他の手段）が、ある機能を遂行するように構成されたと述べるときには、これは、各装置のメモリに記憶されたコンピュータプログラムコードと潜在的に協働する（少なくとも１つの）プロセッサ又はそれに対応する回路が、少なくともそのように述べられた機能を装置に遂行させるように構成されたと述べる説明と同等であると解釈すべきである。又、そのような機能は、各機能を遂行するための特別に構成された回路又は手段によって同等に実施できると解釈されるべきである（即ち、「ｘｘｘ−ｉｎｇを［装置に遂行させる］ように構成されたプロセッサ」という表現は、「ｘｘｘ−ｉｎｇのための手段」という表現と同等であると解釈される）。
【０１３６】
最も基本的な形態において、本発明の規範的実施形態によれば、装置１０又はそのプロセッサ１１は、低い管理レベルにおける少なくとも１つの自己組織化ネットワーク機能のアクションを、自己組織化ネットワークの低い管理レベルから、自己組織化ネットワークの高い管理レベルへ通知する自己組織化ネットワーク調整のための通知を発行することを遂行するように構成される。
【０１３７】
従って、換言すれば、装置１０は、各発行手段を備えている。
【０１３８】
上述したように、装置１０は、各受信手段、動作手段、及び／又は選択手段を備えている。
【０１３９】
最も基本的な形態において、本発明の規範的実施形態によれば、装置２０又はそのプロセッサ２１は、低い管理レベルにおける少なくとも１つの自己組織化ネットワーク機能のアクションを、自己組織化ネットワークの低い管理レベルから、自己組織化ネットワークの高い管理レベルへ通知する自己組織化ネットワーク調整のための通知を受信し、そしてその通知されたアクションを高い管理レベルにおける自己組織化ネットワーク調整に関して調整することを遂行するよう構成される。
【０１４０】
従って、換言すれば、装置２０は、各受信手段及び調整手段を備えている。
【０１４１】
上述したように、装置２０は、決定をなす各手段、及び発行のための手段を含む。
【０１４２】
上述したように、本発明の規範的実施形態は、管理レベルの種々の構成を包含する。例えば、低い管理レベルは、エレメント又はドメインマネージャーレベルであり、且つ高い管理レベルは、ネットワークマネージャーレベルであり、或いは低い管理レベルは、ネットワークエレメントレベルであり、且つ高い管理レベルは、エレメント又はドメインマネージャーレベルであり、或いは低い管理レベルは、ネットワークエレメントレベルであり、且つ高い管理レベルは、ネットワークマネージャーレベルである。
【０１４３】
個々の装置の動作／機能に関する更なる詳細については、図１から４のいずれか１つに関する前記説明を参照されたい。
【０１４４】
本発明の規範的実施形態によれば、プロセッサ１１／２１、メモリ１２／２２及びインターフェイス１３／２３は、個々のモジュール、チップ、チップセット、回路、等として実施されてもよいし、或いはそれらの１つ以上が、各々、共通のモジュール、チップ、チップセット、回路、等として実施されてもよい。
【０１４５】
本発明の規範的実施形態によれば、システムは、このように示されたデバイス／装置、及び上述したように動作するよう構成された他のネットワークエレメントの想像可能な組み合わせを含む。
【０１４６】
一般的に、上述した態様に基づく各機能的ブロック又はエレメントは、各部分の望ましい機能を遂行するように適応されるだけの場合には、任意の既知の手段によりハードウェア及び／又はソフトウェアで各々実施できることに注意されたい。ここに述べる方法のステップは、個々の機能的ブロック又は個々の装置で実現することもできるし、或いは１つ以上の方法ステップを単一の機能的ブロック又は単一の装置で実現することもできる。
【０１４７】
一般的に、方法ステップは、本発明の考え方を変更せずにソフトウェアとして又はハードウェアにより実施するのに適したものである。そのようなソフトウェアは、ソフトウェアコード独立であり、そして方法ステップにより定義される機能が保存される限り、例えば、Ｊａｖａ(登録商標)、Ｃ＋＋、Ｃ及びアッセンブラーのような、既知の又は将来開発されるプログラミング言語を使用して明示される。又、そのようなハードウェアは、ハードウェアタイプ独立であり、そしてＭＯＳ（金属酸化物半導体）、ＣＭＯＳ（相補的ＭＯＳ）、ＢｉＭＯＳ（バイポーラＭＯＳ）、ＢｉＣＭＯＳ（バイポーラＣＭＯＳ）、ＥＣＬ（エミッタ結合ロジック）、ＴＴＬ（トランジスタ・トランジスタロジック）等の、既知の又は将来開発されるハードウェア技術を使用し、例えば、ＡＳＩＣ（特定用途向けＩＣ（集積回路））コンポーネント、ＦＰＧＡ（フィールドプログラマブルゲートアレイ）コンポーネント、ＣＰＬＤ（コンプレックスプログラマブルロジックデバイス）コンポーネント、又はＤＳＰ（デジタル信号プロセッサ）コンポーネントを使用して、実施することができる。デバイス／装置は、半導体チップ、チップセット、又はそのようなチップ又はチップセットを含む（ハードウェア）モジュールにより表わされるが、これは、ハードウェア実施ではなく、デバイス／装置又はモジュールの機能を、プロセッサで実行／ランされる実行可能なソフトウェアコード部分を含むコンピュータプログラム又はコンピュータプログラム製品のような（ソフトウェア）モジュールにおいてソフトウェアとして実施される可能性を除外するものではない。デバイスは、例えば、互いに協働する機能であるか、又は互いに独立しているが同じ装置ハウジング内にあるかに関わらず、デバイス／装置として又は２つ以上のデバイス／装置のアッセンブルとしてみなすことができる。
【０１４８】
装置及び／又は手段、或いはその一部分は、個々の装置として実施できるが、これは、装置の機能が保存される限り、それらがシステム全体にわたって分散形態で実施されることを除外するものではない。当業者にはそのような原理及び同様の原理が分かると考えられる。
【０１４９】
ここでの説明の意味におけるソフトウェアは、各機能を遂行するためのコード手段又は部分又はコンピュータプログラム又はコンピュータプログラム製品より成るソフトウェアコードと、各データ構造又はコード手段／部分を記憶しているコンピュータ読み取り可能な（ストレージ）媒体のような有形の媒体で実施されるか或いは潜在的に処理中に信号又はチップで実施されるソフトウェア（又はコンピュータプログラム又はコンピュータプログラム製品）と、を含む。
【０１５０】
又、本発明は、方法及び構造上の構成の前記概念を適用できる限り、上述した方法ステップ及び動作の想像可能な組み合わせ、並びに上述したノード、装置、モジュール又はエレメントの想像可能な組み合わせも包含する。
【０１５１】
以上のことから、自己組織化ネットワーク調整手順を含むマルチレベル自己組織化ネットワーク調整を実現するための手段が提供された。そのような手段は、規範的に、低い管理レベルにおける少なくとも１つの自己組織化ネットワーク機能のアクションを、そのアクションが実際に遂行される前又はそのアクションが実際に遂行された後に、自己組織化ネットワークの低い管理レベルから、自己組織化ネットワークの高い管理レベルへ通知する自己組織化ネットワーク調整のための通知を通信し、そしてその通知されたアクションを高い管理レベルにおける自己組織化ネットワーク調整に関して調整することを含む。
【０１５２】
本発明の規範的な実施形態による手段は、ある種のネットワーク環境、例えば、３ＧＰＰ  ＲＡＮ１／ＲＡＮ２／ＲＡＮ３規格、即ちリリース１０／１１／１２／・・・のＬＴＥ規格（ＬＴＥアドバンスト及びその進化を含む）、及び／又はＵＭＴＳ規格、及び／又はＷＣＤＭＡ(登録商標)規格に基づく通信システムに適用される。
【０１５３】
本発明は、添付図面の例を参照して以上に述べたが、それに限定されるものではないことを理解されたい。むしろ、当業者であれば、本発明は、ここに開示する本発明の考え方の範囲から逸脱せずに多数の仕方で変更できることが明らかであろう。
【０１５４】
頭字語及び略語のリスト
３ＧＰＰ：第三世代パートナーシッププロジェクト
ＡＮＲ：自動隣接関係
ＣＣＯ：容量及びカバレージ最適化
ＤＭ：ドメイン管理／マネージャー
ＥＭ：エレメント管理／マネージャー
ｅＮＢ：進化型ＮｏｄｅＢ
ＨＭＬ：高い管理レベル
ＨＯＯ：ハンドオーバー最適な
ＩＯＣ：情報オブジェクトクラス
ＩＲＰ：一体化基準点
ＬＢＯ：負荷バランス最適化
ＬＭＬ：低い管理レベル
ＬＴＥ：長期進化
ＭＬＢ：移動負荷バランス
ＭＲＯ：移動頑健性最適化
ＮＥ：ネットワークエレメント
ＮＭ：ネットワーク管理／マネージャー
ＯＡＭ：動作及び保守
ＯＳＳ：動作サポートシステム
ＲＡＣＨＯ：ランダムアクセスチャンネル最適化
ＲＡＴ：無線アクセス技術
ＳＯＮ：自己組織化ネットワーク
ＵＭＴＳ：ユニバーサル移動テレコミュニケーションズシステム
ＷＣＤＭＡ(登録商標)：ワイドバンドコード分割多重アクセス
【符号の説明】
【０１５５】
１０：ＬＭＬエンティティ
１１、２１：プロセッサ
１２、２２：メモリ
１３、２３：インターフェイス
２０：ＨＭＬエンティティ
【図１】
2015505652.tif 000003
【図２】
2015505652.tif 000004
【図３】
2015505652.tif 000005
【図４】
2015505652.tif 000006
【図５】
2015505652.tif 000007
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
低い管理レベルでの少なくとも１つの自己組織化ネットワーク機能のアクションを通知する自己組織化ネットワーク調整のための通知を、自己組織化ネットワークの低い管理レベルから自己組織化ネットワークの高い管理レベルへ発行することを含む方法。
【請求項２】
前記通知は、自己組織化ネットワーク調整独自の要求を含み、前記通知されるアクションは、低い管理レベルにおいて少なくとも１つの自己組織化ネットワーク機能により遂行されることが意図された意図アクションであり、それに対して高い管理レベルから自己組織化ネットワーク調整の決定が要求され、これは、少なくとも１つの自己組織化ネットワーク機能の調整関連プロフィール情報を含む、請求項１に記載の方法。
【請求項３】
前記意図されたアクションに対する自己組織化ネットワーク調整の決定を含む自己組織化ネットワーク調整の動作を高い管理レベルから受け取り、及び
前記意図されたアクションに対する自己組織化ネットワーク調整の決定に基づいて低い管理レベルにおいて少なくとも１つの自己組織化ネットワーク機能を動作させる、
ことを更に含む請求項２に記載の方法。
【請求項４】
前記動作は、
自己組織化ネットワーク調整の決定が前記意図されたアクションの確認に対応するときは低い管理レベルにおける少なくとも１つの自己組織化ネットワーク機能により前記意図されたアクションを遂行し及び／又は遂行を調整し、
自己組織化ネットワーク調整の決定が前記意図されたアクションの拒絶に対応するときは低い管理レベルにおける少なくとも１つの自己組織化ネットワーク機能により前記意図されたアクションを禁止し及び／又は禁止を調整し、及び
自己組織化ネットワーク調整の決定が前記意図されたアクションとは別の少なくとも１つのアクション対応するときには低い管理レベルにおける少なくとも１つの自己組織化ネットワーク機能により少なくとも１つの別のアクションを遂行し及び／又は遂行を調整する、
ことの１つを含む請求項３に記載の方法。
【請求項５】
前記通知は、自己組織化ネットワーク調整独自の情報を含み、前記通知されるアクションは、低い管理レベルにおいて少なくとも１つの自己組織化ネットワーク機能により遂行された遂行済みアクションであり、高い管理レベルにはそれに基づく自己組織化ネットワーク調整のためにそれに関して通知される、請求項１に記載の方法。
【請求項６】
前記遂行済みアクションに対する自己組織化ネットワーク調整の決定を含む自己組織化ネットワーク調整のための動作を高い管理レベルから受け取り、及び
前記遂行済みアクションに対する自己組織化ネットワーク調整の決定に基づいて低い管理レベルにおいて少なくとも１つの自己組織化ネットワーク機能を動作する、
ことを更に含む請求項５に記載の方法。
【請求項７】
前記動作は、
自己組織化ネットワーク調整の決定が前記遂行済みアクションとは別の少なくとも１つのアクションに対応するときは低い管理レベルにおける少なくとも１つの自己組織化ネットワーク機能により少なくとも１つの別のアクションを遂行し及び／又は遂行を調整すること、及び
自己組織化ネットワーク調整の決定が前記遂行済みアクションのアンドゥイングに対応するときは低い管理レベルにおける少なくとも１つの自己組織化ネットワーク機能により前記遂行済みアクションをアンドゥし及び／又はアンドゥを調整すること、
の１つを含む、請求項６に記載の方法。
【請求項８】
少なくとも１つの自己組織化ネットワーク機能のアクションに対する自己組織化ネットワーク調整の決定が高い管理レベルから要求される自己組織化ネットワーク調整要求振舞いと、少なくとも１つの自己組織化ネットワーク機能に関して高い管理レベルに通知がなされる自己組織化ネットワーク調整情報振舞いとの間で、少なくとも１つの自己組織化ネットワークコントロール属性に従う機能ベース及びセルベースの少なくとも一方、及び／又はデフォールト調整振舞いのベースで、自己組織化ネットワーク調整振舞いを選択することを更に含む、請求項１から７のいずれかに記載の方法。
【請求項９】
前記低い管理レベルは、エレメント又はドメインマネージャーレベルであり、且つ前記高い管理レベルは、ネットワークマネージャーレベルであり、又は
前記低い管理レベルは、ネットワークエレメントレベルであり、且つ前記高い管理レベルは、エレメント又はドメインマネージャーレベルであり、又は
前記低い管理レベルは、ネットワークエレメントレベルであり、且つ前記高い管理レベルは、ネットワークマネージャーレベルである、
請求項１から８のいずれか１項に記載の方法。
【請求項１０】
前記方法は、自己組織化ネットワークにおいて動作可能であり、及び／又は
前記方法は、ネットワークエレメントエンティティ及び／又はエレメントマネージャーエンティティにおいて又はそれにより動作可能であり、及び／又は
前記方法は、低い管理レベルでは、少なくとも１つの自己組織化ネットワーク機能及び／又は自己組織化ネットワーク調整機能において又はそれにより動作可能であり、及び／又は
前記低い管理レベル及び高い管理レベルは、動作サポートシステムの各レベル、及び／又は通信システムの各動作及び保守レベルに対応し、及び／又は
前記低い管理レベル及び高い管理レベルは、Ｉｔｆ−Ｎインターフェイス及びＩｔｆ−Ｓインターフェイスの少なくとも１つを経てリンクされる、
請求項１から９のいずれか１項に記載の方法。
【請求項１１】
少なくとも別の装置と通信するように構成されたインターフェイスと、
コンピュータプログラムコードを記憶するように構成されたメモリと、
プロセッサと、
を備えた装置において、前記プロセッサは、前記装置に、
低い管理レベルでの少なくとも１つの自己組織化ネットワーク機能のアクションを通知する自己組織化ネットワーク調整のための通知を、自己組織化ネットワークの低い管理レベルから自己組織化ネットワークの高い管理レベルへ発行する、
ことを遂行させるよう構成された、装置。
【請求項１２】
前記通知は、自己組織化ネットワーク調整独自の要求を含み、前記通知されるアクションは、低い管理レベルにおいて少なくとも１つの自己組織化ネットワーク機能により遂行されることが意図された意図アクションであり、それに対して高い管理レベルから自己組織化ネットワーク調整の決定が要求され、これは、少なくとも１つの自己組織化ネットワーク機能の調整関連プロフィール情報を含む、請求項１１に記載の装置。
【請求項１３】
前記意図されたアクションに対する自己組織化ネットワーク調整の決定を含む自己組織化ネットワーク調整の動作を高い管理レベルから受け取り、及び
前記意図されたアクションに対する自己組織化ネットワーク調整の決定に基づいて低い管理レベルにおいて少なくとも１つの自己組織化ネットワーク機能を動作させる、
ことを遂行するように構成された請求項１２に記載の装置。
【請求項１４】
自己組織化ネットワーク調整の決定が前記意図されたアクションの確認に対応するときは低い管理レベルにおける少なくとも１つの自己組織化ネットワーク機能により前記意図されたアクションを遂行し及び／又は遂行を調整し、
自己組織化ネットワーク調整の決定が前記意図されたアクションの拒絶に対応するときは低い管理レベルにおける少なくとも１つの自己組織化ネットワーク機能により前記意図されたアクションを禁止し及び／又は禁止を調整し、及び
自己組織化ネットワーク調整の決定が前記意図されたアクションとは別の少なくとも１つのアクション対応するときには低い管理レベルにおける少なくとも１つの自己組織化ネットワーク機能により少なくとも１つの別のアクションを遂行し及び／又は遂行を調整する、
の１つによって動作を遂行するように構成された請求項１３に記載の装置。
【請求項１５】
前記通知は、自己組織化ネットワーク調整独自の情報を含み、前記通知されるアクションは、低い管理レベルにおいて少なくとも１つの自己組織化ネットワーク機能により遂行された遂行済みアクションであり、高い管理レベルにはそれに基づく自己組織化ネットワーク調整のためにそれに関して通知される、請求項１１に記載の装置。
【請求項１６】
前記遂行済みアクションに対する自己組織化ネットワーク調整の決定を含む自己組織化ネットワーク調整のための動作を高い管理レベルから受け取り、及び
前記遂行済みアクションに対する自己組織化ネットワーク調整の決定に基づき低い管理レベルにおいて少なくとも１つの自己組織化ネットワーク機能を動作する、
ことを遂行するように構成された請求項１５に記載の装置。
【請求項１７】
自己組織化ネットワーク調整の決定が前記遂行済みアクションとは別の少なくとも１つのアクションに対応するときは低い管理レベルにおける少なくとも１つの自己組織化ネットワーク機能により少なくとも１つの別のアクションを遂行し及び／又は遂行を調整し、及び
自己組織化ネットワーク調整の決定が前記遂行済みアクションのアンドゥイングに対応するときは低い管理レベルにおける少なくとも１つの自己組織化ネットワーク機能により前記遂行済みアクションをアンドゥし及び／又はアンドゥを調整する、
の１つにより動作を遂行するように構成された、請求項１６に記載の装置。
【請求項１８】
少なくとも１つの自己組織化ネットワーク機能のアクションに対する自己組織化ネットワーク調整の決定が高い管理レベルから要求される自己組織化ネットワーク調整要求振舞いと、少なくとも１つの自己組織化ネットワーク機能に関して高い管理レベルに通知がなされる自己組織化ネットワーク調整情報振舞いとの間で、少なくとも１つの自己組織化ネットワークコントロール属性に従う機能ベース及びセルベースの少なくとも一方、及び／又はデフォールト調整振舞いのベースで、自己組織化ネットワーク調整振舞いを選択することを遂行するように構成された、請求項１１から１７のいずれか１項に記載の装置。
【請求項１９】
前記低い管理レベルは、エレメント又はドメインマネージャーレベルであり、且つ前記高い管理レベルは、ネットワークマネージャーレベルであり、又は
前記低い管理レベルは、ネットワークエレメントレベルであり、且つ前記高い管理レベルは、エレメント又はドメインマネージャーレベルであり、又は
前記低い管理レベルは、ネットワークエレメントレベルであり、且つ前記高い管理レベルは、ネットワークマネージャーレベルである、
請求項１１から１８のいずれか１項に記載の装置。
【請求項２０】
前記装置は、自己組織化ネットワークにおいて動作可能であり、及び／又は
前記装置は、ネットワークエレメントエンティティ及び／又はエレメントマネージャーエンティティとして又はそれにおいて動作可能であり、及び／又は
前記装置は、低い管理レベルでは、少なくとも１つの自己組織化ネットワーク機能及び／又は自己組織化ネットワーク調整機能として又はそれにおいて動作可能であり、及び／又は
前記低い管理レベル及び高い管理レベルは、動作サポートシステムの各レベル、及び／又は通信システムの各動作及び保守レベルに対応し、及び／又は
前記低い管理レベル及び高い管理レベルは、Ｉｔｆ−Ｎインターフェイス及びＩｔｆ−Ｓインターフェイスの少なくとも１つを経てリンクされる、
請求項１１から１９のいずれか１項に記載の装置。
【国際調査報告】
2015505652.tif 000008
2015505652.tif 000009
2015505652.tif 000010